(57)【特許請求の範囲】
【請求項１】
サーバ装置に通信網を介して接続されたクライアント装置が、サーバ装置から閲覧情報を閲覧する情報閲覧方法であって、
前記クライアント装置は、操作部を介して入力された文字列を前記サーバ装置に送信し、
前記サーバ装置は、前記文字列を含む単語またはその単語と類語関係を有する単語であり、目的語に相当する１または複数の目的候補単語を抽出して前記クライアント装置に送信し、
前記クライアント装置は、前記１または複数の目的候補単語を表示し、前記１または複数の目的候補単語からユーザの選択入力に応じて選択された１の目的候補単語を前記サーバ装置に送信し、
前記サーバ装置は、選択された目的候補単語に予め定められた複数の助詞を付加して前記クライアント装置に送信し、
前記クライアント装置は、１または複数の、前記目的候補単語と前記助詞との組み合わせを表示し、前記１または複数の、目的候補単語と助詞との組み合わせからユーザの選択入力に応じて選択された１の目的候補単語と助詞との組み合わせを前記サーバ装置に送信し、
前記サーバ装置は、選択された目的候補単語と、選択された助詞を通じ目的語と述語の関係となる述候補単語を抽出して前記目的候補単語および前記助詞と関連付け、前記目的候補単語と前記助詞と前記述候補単語との組み合わせである１または複数の候補組み合わせを前記クライアント装置に送信し、
前記クライアント装置は、前記１または複数の候補組み合わせを、目的候補単語、助詞、述候補単語の順に表示し、前記１または複数の候補組み合わせからユーザの選択入力に応じて選択された１の候補組み合わせを前記サーバ装置に送信し、
前記サーバ装置は、選択された前記１の候補組み合わせに基づいて前記閲覧情報を特定することを特徴とする情報閲覧方法。
【請求項２】
前記サーバ装置は、選択された目的候補単語と、前記予め定められた複数の助詞のうち前記選択された助詞以外の助詞を通じ目的語と述語の関係となる述候補単語を抽出して前記目的候補単語および前記助詞と関連付け、前記目的候補単語と前記助詞と前記述候補単語との組み合わせも前記候補組み合わせとして前記クライアント装置に送信することを特徴とする請求項１に記載の情報閲覧方法。
【請求項３】
サーバ装置に通信網を介して接続されたクライアント装置が、サーバ装置から閲覧情報を閲覧する情報閲覧方法であって、
前記クライアント装置は、操作部を介して入力された文字列を前記サーバ装置に送信し、
前記サーバ装置は、前記文字列を含む単語またはその単語と類語関係を有する単語であり、目的語に相当する１または複数の目的候補単語を抽出して前記クライアント装置に送信し、
前記クライアント装置は、１または複数の目的候補単語を表示し、前記１または複数の目的候補単語からユーザの選択入力に応じて選択された１の目的候補単語を前記サーバ装置に送信し、
前記サーバ装置は、選択された目的候補単語と、予め定められた複数の助詞それぞれを通じ目的語と述語の関係となる１または複数の述候補単語を抽出して前記目的候補単語および前記助詞と関連付け、前記目的候補単語と前記助詞と前記述候補単語との組み合わせである１または複数の候補組み合わせを前記クライアント装置に送信し、
前記クライアント装置は、前記１または複数の候補組み合わせを、目的候補単語、助詞、述候補単語の順に表示し、前記１または複数の候補組み合わせからユーザの選択入力に応じて選択された１の候補組み合わせを前記サーバ装置に送信し、
前記サーバ装置は、選択された前記１の候補組み合わせに基づいて前記閲覧情報を特定することを特徴とする情報閲覧方法。
【請求項４】
前記目的語と前記述語とは、前記予め定められた複数の助詞毎に独立して関連付けられていることを特徴とする請求項１から３のいずれか１項に記載の情報閲覧方法。
【請求項５】
前記サーバ装置は、類語関係を有する目的語に相当する単語をグループ化した複数の目的語グループと類語関係を有する述語に相当する単語をグループ化した複数の述語グループとで構成されるマトリクステーブルを用い、選択された目的候補単語が示す目的語グループと、選択された述候補単語が示す述語グループとに基づいて案内情報を一意に特定し、閲覧情報群を用いて、特定された前記案内情報に基づき閲覧情報を特定することを特徴とする請求項１から４のいずれか１項に記載の情報閲覧方法。
【請求項６】
前記助詞は、「を」、「に」、「より」、「で」の群から選択される１または複数の格助詞であることを特徴とする請求項１から５のいずれか１項に記載の情報閲覧方法。
【請求項７】
目的語、助詞、述語の関係を名詞、前置詞、動詞に置換したことを特徴とする請求項１から６のいずれか１項に記載の情報閲覧方法。
【請求項８】
クライアント装置がサーバ装置を通じて閲覧情報を閲覧する情報閲覧システムであって、
前記クライアント装置は、
操作部を介して入力された文字列を前記サーバ装置に送信し、前記サーバ装置から受信した１または複数の目的候補単語からユーザの選択入力に応じて選択された１の目的候補単語を前記サーバ装置に送信し、前記サーバ装置から受信した１または複数の、目的候補単語と助詞との組み合わせからユーザの選択入力に応じて選択された１の、目的候補単語と助詞の組み合わせを前記サーバ装置に送信し、前記サーバ装置から受信した１または複数の、目的候補単語と助詞と述候補単語との組み合わせである候補組み合わせからユーザの選択入力に応じて選択された１の候補組み合わせを前記サーバ装置に送信するクライアント送信制御部と、
前記サーバ装置から受信した１または複数の目的候補単語を表示し、前記サーバ装置から受信した１または複数の、目的候補単語と助詞との組み合わせをその順に表示し、前記サーバ装置から受信した１または複数の候補組み合わせを、目的候補単語、助詞、述候補単語の順に表示する表示部と、
を備え、
前記サーバ装置は、
前記文字列を含む単語またはその単語と類語関係を有する単語であり、目的語に相当する１または複数の目的候補単語を抽出する目的候補単語抽出部と、
選択された目的候補単語に予め定められた複数の助詞を付加する助詞付加部と、
選択された目的候補単語と、選択された助詞を通じ目的語と述語の関係となる述候補単語を抽出して前記目的候補単語および前記助詞と関連付け、前記目的候補単語と前記助詞と前記述候補単語との組み合わせである１または複数の候補組み合わせを抽出する述候補単語抽出部と、
１または複数の前記目的候補単語を前記クライアント装置に送信し、１または複数の、前記目的候補単語と前記助詞との組み合わせを前記クライアント装置に送信し、１または複数の前記候補組み合わせを前記クライアント装置に送信するサーバ送信制御部と、
選択された前記１の候補組み合わせに基づいて前記閲覧情報を特定する閲覧情報特定部と、
を備えることを特徴とする情報閲覧システム。
【請求項９】
クライアント装置から受信した文字列を含む単語またはその単語と類語関係を有する単語であり、目的語に相当する１または複数の目的候補単語を抽出する目的候補単語抽出部と、
前記１または複数の目的候補単語からユーザの選択入力に応じて選択された目的候補単語に予め定められた複数の助詞を付加する助詞付加部と、
前記１または複数の、目的候補単語と助詞との組み合わせからユーザの選択入力に応じて選択された目的候補単語と、選択された助詞を通じ目的語と述語の関係となる述候補単語を抽出して前記目的候補単語および前記助詞と関連付け、前記目的候補単語と前記助詞と前記述候補単語との組み合わせである１または複数の候補組み合わせを抽出する述候補単語抽出部と、
１または複数の前記目的候補単語を前記クライアント装置に送信し、１または複数の、前記目的候補単語と前記助詞との組み合わせを前記クライアント装置に送信し、１または複数の前記候補組み合わせを前記クライアント装置に送信するサーバ送信制御部と、
選択された前記１の候補組み合わせに基づいて前記閲覧情報を特定する閲覧情報特定部と、
を備えることを特徴とするサーバ装置。
【請求項１０】
操作部を介して入力された文字列を含む単語またはその単語と類語関係を有する単語であり、目的語に相当する１または複数の目的候補単語を抽出する目的候補単語抽出部と、
前記１または複数の目的候補単語からユーザの選択入力に応じて選択された目的候補単語に予め定められた複数の助詞を付加する助詞付加部と、
前記１または複数の目的候補単語と助詞との組み合わせからユーザの選択入力に応じて選択された目的候補単語と、選択された助詞を通じ目的語と述語の関係となる述候補単語を抽出して前記目的候補単語および前記助詞と関連付け、前記目的候補単語と前記助詞と前記述候補単語との組み合わせである１または複数の候補組み合わせを抽出する述候補単語抽出部と、
選択された前記１の候補組み合わせに基づいて前記閲覧情報を特定する閲覧情報特定部と、
を備えることを特徴とするクライアント装置。
【発明の詳細な説明】
【技術分野】
【０００１】
本発明は、ユーザが所望する情報を閲覧する情報閲覧方法、情報閲覧システム、サーバ装置およびクライアント装置に関する。
【背景技術】
【０００２】
近年のペーパーレス化により、例えば、製品のマニュアル（取扱説明書）が、紙媒体に代えて、または、紙媒体に加えて電子データとして提供されることが多くなっている。電子データによる電子マニュアルでは、電子マニュアルを構成する電子データにランダムにアクセスできる利点を活かし、目次そのものを選択するだけで目次に示されているページにジャンプするジャンプ機能、所望するキーワードが存在する電子マニュアル上の位置をテキスト検索する検索機能、さらに詳しい閲覧情報を有するサイトへ接続するためのリンク機能、所望する閲覧情報を把握し易いレイアウトで印刷する印刷加工機能等、様々な機能をユーザに提供することができる。
【０００３】
ところで、近年では、インターネットやＬＡＮ（Local Area Network）等のネットワーク・インフラの普及に伴い、必要な情報を、ネットワークを通じて容易に取得できるようになった。例えば、ユーザは、クライアント装置を用い、インターネットを通じてサーバ装置のＷｅｂサイトにアクセスし、サーバ装置で提供される電子マニュアル、所謂オンラインマニュアルを利用することができる。このようなオンラインマニュアルは、サーバ装置内で、閲覧のための膨大な量の情報を保持することができ、また、ユーザは、所有するパーソナルコンピュータに特別なソフトをインストールしなくても、Ｗｅｂブラウザを通じて容易にオンラインマニュアルを利用することが可能である。
【０００４】
しかし、製造物責任法（ＰＬ法）やユーザフレンドリーの観点から、電子マニュアルの内容量は増加の一途をたどり、ユーザが、所望する閲覧情報に到達するまでに、却って時間を要してしまう結果を招いていた。例えば、電子マニュアル中の目次を参照する場合であっても、所望する閲覧情報が、どの項目に該当するか把握できなかったり、多くの項目に関連している場合、どの項目に所望する閲覧情報が記載されているか１つ１つ確認しなければならなかった。
【０００５】
また、キーワードを通じてテキスト検索する方法では、上位概念にあたるキーワードで検索すると多数の閲覧情報の候補が抽出され、その候補を１つ１つ確認しなければならなかった。逆に、下位概念にあたるキーワードで検索すると、今度は閲覧情報の候補が１つも抽出されない等の問題が生じていた。さらに、所望する動作、例えば、目的語や述語のイメージはあるが、対象となる電子マニュアルに記載されているような一般的なキーワードが思いつかないこともあった。
【０００６】
そこで、目的語の候補を複数集めた一覧メニューと、述語の候補を複数集めた一覧メニューとを、上位・下位の階層構造とし、２つのキーワードの組み合わせに関する複数の選択肢から適切な２つのキーワードの組み合わせを選択させることで所望する結果を得る技術が公開されている（例えば、特許文献１）。また、特許文献１では、目的語や述語の一方が選択されることに基づいて他方の入力支援も行っている。また、２つの語句間の共起関係を示す情報が格納された共起辞書を用い、先行して入力された文字列との共起関係を元に入力予測候補の文字列を絞り込む技術も開示されている（例えば、特許文献２）。
【先行技術文献】
【特許文献】
【０００７】
【特許文献１】特開２０００−０２９５９５号公報
【特許文献２】特開２０００−０５７１３５号公報
【発明の概要】
【発明が解決しようとする課題】
【０００８】
しかし、特許文献１の技術では、所望する閲覧情報を特定するため、最初に、一覧メニューから目的語と述語をそれぞれ選択しなくてはならず、一覧メニューの項目が多ければ多いほど、選択に時間を要す結果を招いていた。また、目的語と述語との関係が不規則なので、目的語が適切であっても、対応する述語が不適切であったり、述語が適切であっても、対応する目的語が不適切となることがあった。また、述語に対応する目的語が非常に多くなるため、その全てを表示すると選択肢が膨大になり、選択に手間がかかってしまう結果を招いていた。さらに、先に述語を特定し、その述語に対して選択し得る目的語を表示する際、述語に対して目的語が表示部の右下に表示され、視覚的に文章として成り立たないため目的語と述語との関係を把握し難かった。
【０００９】
また、特許文献２の技術は、ワードプロセッサ等における学習機能に過ぎず、連続して入力された文字列を一時的に記憶して次回以降に利用するものであり、ユーザが所望する閲覧情報を得るための目的語や述語を特定できない場合に、その目的語や述語を推定することは不可能であった。
【００１０】
本発明は、このような課題に鑑み、文字数の少ない直感的なキーワードに基づいて、予め準備された複数の閲覧情報からユーザが所望する適切な閲覧情報を効率的に特定可能な、情報閲覧方法、情報閲覧システム、サーバ装置およびクライアント装置を提供することを目的としている。
【課題を解決するための手段】
【００１１】
上記課題を解決するために、サーバ装置に通信網を介して接続されたクライアント装置が、サーバ装置から閲覧情報を閲覧する本発明の情報閲覧方法では、クライアント装置は、操作部を介して入力された文字列をサーバ装置に送信し、サーバ装置は、文字列を含む単語またはその単語と類語関係を有する単語であり、目的語に相当する１または複数の目的候補単語を抽出してクライアント装置に送信し、クライアント装置は、１または複数の目的候補単語を表示し、１または複数の目的候補単語からユーザの選択入力に応じて選択された１の目的候補単語をサーバ装置に送信し、サーバ装置は、選択された目的候補単語に予め定められた複数の助詞を付加してクライアント装置に送信し、クライアント装置は、１または複数の、目的候補単語と助詞との組み合わせを表示し、１または複数の、目的候補単語と助詞との組み合わせからユーザの選択入力に応じて選択された１の目的候補単語と助詞との組み合わせをサーバ装置に送信し、サーバ装置は、選択された目的候補単語と、選択された助詞を通じ目的語と述語の関係となる述候補単語を抽出して目的候補単語および助詞と関連付け、目的候補単語と助詞と述候補単語との組み合わせである１または複数の候補組み合わせをクライアント装置に送信し、クライアント装置は、１または複数の候補組み合わせを、目的候補単語、助詞、述候補単語の順に表示し、１または複数の候補組み合わせからユーザの選択入力に応じて選択された１の候補組み合わせをサーバ装置に送信し、サーバ装置は、選択された１の候補組み合わせに基づいて閲覧情報を特定することを特徴とする。
【００１２】
サーバ装置は、選択された目的候補単語と、予め定められた複数の助詞のうち選択された助詞以外の助詞を通じ目的語と述語の関係となる述候補単語を抽出して目的候補単語および助詞と関連付け、目的候補単語と助詞と述候補単語との組み合わせも候補組み合わせとしてクライアント装置に送信してもよい。
【００１３】
上記課題を解決するために、サーバ装置に通信網を介して接続されたクライアント装置が、サーバ装置から閲覧情報を閲覧する本発明の情報閲覧方法では、クライアント装置は、操作部を介して入力された文字列をサーバ装置に送信し、サーバ装置は、文字列を含む単語またはその単語と類語関係を有する単語であり、目的語に相当する１または複数の目的候補単語を抽出してクライアント装置に送信し、クライアント装置は、１または複数の目的候補単語を表示し、１または複数の目的候補単語からユーザの選択入力に応じて選択された１の目的候補単語をサーバ装置に送信し、サーバ装置は、選択された目的候補単語と、予め定められた複数の助詞それぞれを通じ目的語と述語の関係となる１または複数の述候補単語を抽出して目的候補単語および助詞と関連付け、目的候補単語と助詞と述候補単語との組み合わせである１または複数の候補組み合わせをクライアント装置に送信し、クライアント装置は、１または複数の候補組み合わせを、目的候補単語、助詞、述候補単語の順に表示し、１または複数の候補組み合わせからユーザの選択入力に応じて選択された１の候補組み合わせをサーバ装置に送信し、サーバ装置は、選択された１の候補組み合わせに基づいて閲覧情報を特定することを特徴とする。
【００１４】
目的語と述語とは、予め定められた複数の助詞毎に独立して関連付けられているとしてもよい。
【００１５】
サーバ装置は、類語関係を有する目的語に相当する単語をグループ化した複数の目的語グループと類語関係を有する述語に相当する単語をグループ化した複数の述語グループとで構成されるマトリクステーブルを用い、選択された目的候補単語が示す目的語グループと、選択された述候補単語が示す述語グループとに基づいて案内情報を一意に特定し、閲覧情報群を用いて、特定された案内情報に基づき閲覧情報を特定してもよい。
【００１６】
助詞は、「を」、「に」、「より」、「で」の群から選択される１または複数の格助詞であってもよい。
【００１７】
目的語、助詞、述語の関係を名詞、前置詞、動詞に置換してもよい。
【００１８】
上記課題を解決するために、クライアント装置がサーバ装置を通じて閲覧情報を閲覧する本発明の情報閲覧システムでは、クライアント装置は、操作部を介して入力された文字列をサーバ装置に送信し、サーバ装置から受信した１または複数の目的候補単語からユーザの選択入力に応じて選択された１の目的候補単語をサーバ装置に送信し、サーバ装置から受信した１または複数の、目的候補単語と助詞との組み合わせからユーザの選択入力に応じて選択された１の、目的候補単語と助詞の組み合わせをサーバ装置に送信し、サーバ装置から受信した１または複数の、目的候補単語と助詞と述候補単語との組み合わせである候補組み合わせからユーザの選択入力に応じて選択された１の候補組み合わせをサーバ装置に送信するクライアント送信制御部と、サーバ装置から受信した１または複数の目的候補単語を表示し、サーバ装置から受信した１または複数の、目的候補単語と助詞との組み合わせをその順に表示し、サーバ装置から受信した１または複数の候補組み合わせを、目的候補単語、助詞、述候補単語の順に表示する表示部と、を備え、サーバ装置は、文字列を含む単語またはその単語と類語関係を有する単語であり、目的語に相当する１または複数の目的候補単語を抽出する目的候補単語抽出部と、選択された目的候補単語に予め定められた複数の助詞を付加する助詞付加部と、選択された目的候補単語と、選択された助詞を通じ目的語と述語の関係となる述候補単語を抽出して目的候補単語および助詞と関連付け、目的候補単語と助詞と述候補単語との組み合わせである１または複数の候補組み合わせを抽出する述候補単語抽出部と、１または複数の目的候補単語をクライアント装置に送信し、１または複数の、目的候補単語と助詞との組み合わせをクライアント装置に送信し、１または複数の候補組み合わせをクライアント装置に送信するサーバ送信制御部と、選択された１の候補組み合わせに基づいて閲覧情報を特定する閲覧情報特定部と、を備えることを特徴とする。
【００１９】
上記課題を解決するために、本発明のサーバ装置は、クライアント装置から受信した文字列を含む単語またはその単語と類語関係を有する単語であり、目的語に相当する１または複数の目的候補単語を抽出する目的候補単語抽出部と、１または複数の目的候補単語からユーザの選択入力に応じて選択された目的候補単語に予め定められた複数の助詞を付加する助詞付加部と、１または複数の、目的候補単語と助詞との組み合わせからユーザの選択入力に応じて選択された目的候補単語と、選択された助詞を通じ目的語と述語の関係となる述候補単語を抽出して目的候補単語および助詞と関連付け、目的候補単語と助詞と述候補単語との組み合わせである１または複数の候補組み合わせを抽出する述候補単語抽出部と、１または複数の目的候補単語をクライアント装置に送信し、１または複数の、目的候補単語と助詞との組み合わせをクライアント装置に送信し、１または複数の候補組み合わせをクライアント装置に送信するサーバ送信制御部と、選択された１の候補組み合わせに基づいて閲覧情報を特定する閲覧情報特定部と、を備えることを特徴とする。
【００２０】
上記課題を解決するために、本発明のクライアント装置は、操作部を介して入力された文字列を含む単語またはその単語と類語関係を有する単語であり、目的語に相当する１または複数の目的候補単語を抽出する目的候補単語抽出部と、１または複数の目的候補単語からユーザの選択入力に応じて選択された目的候補単語に予め定められた複数の助詞を付加する助詞付加部と、１または複数の目的候補単語と助詞との組み合わせからユーザの選択入力に応じて選択された目的候補単語と、選択された助詞を通じ目的語と述語の関係となる述候補単語を抽出して目的候補単語および助詞と関連付け、目的候補単語と助詞と述候補単語との組み合わせである１または複数の候補組み合わせを抽出する述候補単語抽出部と、選択された１の候補組み合わせに基づいて閲覧情報を特定する閲覧情報特定部と、を備えることを特徴とする。
【発明の効果】
【００２１】
本発明によれば、文字数の少ない直感的なキーワードに基づいて、予め準備された複数の閲覧情報からユーザが所望する適切な閲覧情報を効率的に特定可能となる。
【図面の簡単な説明】
【００２２】
【図１】第１の実施形態における情報閲覧装置の電気的構成を示した機能ブロック図である。
【図２】クライアント装置の電気的構成を示した機能ブロック図である。
【図３】サーバ装置の電気的構成を示した機能ブロック図である。
【図４】閲覧情報群の一部を説明するための説明図である。
【図５】閲覧情報群の一部を説明するための説明図である。
【図６】目的語グループ群を説明するための説明図である。
【図７】述語グループ群を説明するための説明図である。
【図８】マトリクステーブルを説明するための説明図である。
【図９】目的語グループ特定部の判定処理のイメージを示した説明図である。
【図１０】ユーザによる目的語と述語の入力処理の一例を示した説明図である。
【図１１】予め定められた助詞に対するマトリクステーブルを示した説明図である。
【図１２】予め定められた助詞に対するマトリクステーブルを示した説明図である。
【図１３】予め定められた助詞に対するマトリクステーブルを示した説明図である。
【図１４】予め定められた助詞に対するマトリクステーブルを示した説明図である。
【図１５】ユーザによる目的語と述語の入力処理の他の一例を示した説明図である。
【図１６】ユーザによる目的語と述語の入力処理の他の一例を示した説明図である。
【図１７】ユーザによる目的語と述語の入力処理の他の一例を示した説明図である。
【図１８】ユーザによる目的語と述語の入力処理の他の一例を示した説明図である。
【図１９】マトリクステーブルの他の例を示した説明図である。
【図２０】閲覧情報特定部の動作処理を説明するための説明図である。
【図２１】閲覧情報特定部の動作処理を説明するための説明図である。
【図２２】情報閲覧方法の全体的な流れを示したシーケンス図である。
【図２３】情報閲覧方法の全体的な流れを示したシーケンス図である。
【図２４】表示部の入力画面を示す説明図である。
【発明を実施するための形態】
【００２３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
ユーザが電子検索を通じて所望する閲覧情報を得るものとしては、上述したような電子マニュアル（オンラインマニュアル）に限らず、質問を特定して、その質問に対する適切な閲覧情報を得るＦＡＱ（Frequently Asked Questions）等、様々な検索態様が考えられる。ここで、閲覧情報は、任意の技術分野や任意の製品種別といった所定の技術範囲における、内容や事情についての知らせであり、それによって、ユーザに知識や適切な判断を生じさせるものをいう。したがって、本実施形態の閲覧情報の検索対象は、所定の技術範囲に限られる。
【００２５】
本実施形態では、例えば、デジタルビデオカメラのオンラインマニュアルを例に挙げて説明するが、本実施形態がこれに限定されるものではなく、上述したＦＡＱや、その他の様々な閲覧形態や検索形態に適用することができる。
【００２６】
（情報閲覧システム１００）
図１は、情報閲覧システム１００の概略的な関係を示した説明図である。情報閲覧システム１００は、通信網１０２と、クライアント装置１１０と、サーバ装置１２０とを含んで構成される。通信網１０２は、インターネット、ＬＡＮ、専用回線等で構成され、クライアント装置１１０、サーバ装置１２０それぞれを接続する。
【００２７】
クライアント装置１１０は、パーソナルコンピュータ、ノート型パーソナルコンピュータ、ＰＤＡ（Personal Digital Assistant）、携帯電話等、Ｗｅｂブラウザを利用可能な電子機器であり、ブラウザプログラムを備え、サーバ装置１２０が蓄積している、音楽、静止画、動画等の様々な情報を、Ｗｅｂブラウザを通じて取得することができる。本実施形態において、クライアント装置１１０は、サーバ装置１２０に保持されているオンラインマニュアルを利用し、所望する閲覧情報を得ることを目的とする。
【００２８】
サーバ装置１２０は、Ｗｅｂサイトを管理し、クライアント装置１１０による、Ｗｅｂページの取得を要求する情報取得要求に応じ、クライアント装置１１０のＷｅｂブラウザを通じて、サーバ装置１２０自体で管理しているオンラインマニュアルに関する様々なＷｅｂページを提供する。ここで、Ｗｅｂサイトは、サーバ装置１２０を特定するドメイン下にあるＷｅｂページ群をいう。クライアント装置１１０およびサーバ装置１２０の具体的構成は、以下のようになる。
【００２９】
（クライアント装置１１０）
図２は、クライアント装置１１０の電気的構成を示した機能ブロック図である。クライアント装置１１０は、操作部１４０と、表示部１４２と、クライアントメモリ１４４と、クライアント通信部１４６と、クライアント制御部１４８とを含んで構成される。
【００３０】
操作部１４０は、キーボード、ポインティングデバイス、十字キー、ジョイスティック、ジョグダイヤル、タッチパネル、音声認識（音声入力）デバイス等で構成され、ユーザ１１２の操作入力または音声入力（以下、音声入力も含めて単に操作入力という。）、例えば、閲覧情報の抽出（検索）を試みた場合の、目的語に相当する単語および述語に相当する単語や、そのような単語の一部の文字入力を直接受け付ける。以下、目的語として入力された単語を「目的単語」、述語として入力された単語を「述単語」と称する。
【００３１】
表示部１４２は、液晶ディスプレイ、有機ＥＬ（Electro Luminescence）ディスプレイ等で構成され、Ｗｅｂブラウザを通じてサーバ装置１２０から提供されるＷｅｂページを表示したり、様々な画像を表示する。本実施形態において、所定のＷｅｂサイトにアクセスする場合は、クライアント装置１１０自体のＷｅｂブラウザを通じてサーバ装置１２０から提供されるＷｅｂページ（例えば、サーバ装置１２０のＰＨＰ・ＪａｖａＳｃｒｉｐｔプログラムによるマークアップ記述言語ＸＭＬ（eXtensible Markup Language）で記述されたオンラインマニュアル）を表示し、ユーザ１１２は、ＷｅｂページにおけるＵＩ（User Interface）を、操作部１４０を通じて操作することで、Ｗｅｂページに関する様々な処理を実現する。また、表示部１４２は、操作部１４０を通じて入力した、例えば、目的単語や述単語、またはその単語の一部を表示して入力結果の確認に利用したり、本実施形態の遂行によって抽出された単語や閲覧情報を表示したりする。
【００３２】
クライアントメモリ１４４は、ＨＤＤ（Hard disk drive）、フラッシュメモリ、ＲＡＭ等の記憶媒体で構成され、後述するクライアント制御部１４８で利用されるＯＳ（Operating System）、制御プログラム、ブラウザプログラム、通信処理プログラムや、Ｗｅｂブラウザを通じてサーバ装置１２０からＷｅｂページと共にダウンロードしたドキュメント等の情報を保持する。なお、ＨＤＤは正確には装置であるが、説明の便宜上本説明では他の記憶媒体と同義として扱う。
【００３３】
クライアント通信部１４６は、ＴＣＰ／ＩＰ等のプロトコルを用い、通信網１０２を通じてサーバ装置１２０と通信接続を行う。クライアント制御部１４８は、中央処理装置（ＣＰＵ）、プログラム等が格納されたＲＯＭ、ワークエリアとしてのＲＡＭ等を含む半導体集積回路で構成され、クライアントメモリ１４４や他の電子回路と協働してクライアント装置１１０全体を管理および制御する。また、クライアント制御部１４８は、クライアント送信制御部１５０、クライアント受信制御部１５２としても機能する。
【００３４】
クライアント送信制御部１５０は、サーバ装置１２０にアクセスし、サーバ装置１２０から提供されるＷｅｂページの内容に応じ、操作部１４０を通じて目的語として入力された単語（目的単語）と、述語として入力された単語（述単語）とを送信する。また、本実施形態では、上記目的単語や述単語の直接入力の代わりに、目的単語および述単語を特定するため、操作部１４０を介して入力された文字列や、その文字列に応じてサーバ装置１２０から受信した目的候補単語、助詞、述候補単語等からユーザの選択入力に応じて選択された単語や単語の組み合わせを順次サーバ装置１２０に送信している。文字列、目的候補単語、述候補単語については、後ほど詳述する。また、クライアント送信制御部１５０は、サーバ装置１２０による質問に応じて選択された回答をサーバ装置１２０に送信する。クライアント受信制御部１５２は、サーバ装置１２０から上記単語や単語の組み合わせを受信し、目的単語や述単語の特定処理を支援する。また、クライアント受信制御部１５２は、質問および選択肢を受信し、表示部１４２に表示させて、ユーザ１１２に選択肢を選択させる。また、クライアント受信制御部１５２は、サーバ装置１２０から閲覧情報を受信し、表示部１４２に表示させる。
【００３５】
（サーバ装置１２０）
図３は、サーバ装置１２０の電気的構成を示した機能ブロック図である。サーバ装置１２０は、サーバメモリ１６０と、サーバ通信部１６２と、サーバ制御部１６４とを含んで構成される。
【００３６】
サーバメモリ１６０は、ＨＤＤ、フラッシュメモリ、ＲＡＭ等の記憶媒体で構成され、後述するサーバ制御部１６４で利用されるＯＳ、制御プログラム、Ｗｅｂサーバプログラム、通信処理プログラム、オンラインマニュアル処理プログラムや、Ｗｅｂブラウザを通じてクライアント装置１１０に提供可能な、オンラインマニュアルやＦＡＱ等の情報を保持する。ここで、オンラインマニュアルやＦＡＱとしては、複数の閲覧情報を含む閲覧情報群、類語関係を有する目的語に相当する単語をグループ化した目的語グループを複数含む目的語グループ群、類語関係を有する述語に相当する単語をグループ化した述語グループを複数含む述語グループ群、および、目的語グループと述語グループとに基づいて閲覧情報へ案内するための案内情報を一意に特定するマトリクステーブルが保持されている。閲覧情報群、目的語グループ群、述語グループ群、および、マトリクステーブルは本実施形態を理解する上で前提となるので、先だってその構成を簡単に説明する。
【００３７】
図４および図５は、閲覧情報群２００の一部を説明するための説明図である。閲覧情報群２００は、複数の閲覧情報２０２を枝とし、その上位階層として、閲覧情報２０２を導くための選択肢２０４を幹とするツリー構造で形成されている。例えば、図４のツリー構造の最下位階層（閲覧情報２０２）以外の階層には、質問２０６と、その質問２０６の複数の回答で構成される選択肢２０４とが示され、例えば、「どのメディアに保存しますか」という質問２０６に対して、「光ディスク」または「外付ＨＤＤ」という選択肢２０４が準備されている。そして、ユーザ１１２が、準備された選択肢２０４から１の回答を選択すると、その選択肢２０４に属する下位階層に準備された質問２０６が提示され、ユーザ１１２は、下位階層の質問２０６に対して順次選択肢２０４を選択していくことで、最終的に所望する閲覧情報２０２を閲覧することができる。また、かかる質問２０６や選択肢２０４のデータ位置は、図４中「image_cpy.xml」といったファイル名やそのファイル中のディレクトリ「opt」等で特定することができる。
【００３８】
このような閲覧情報群２００では、最上位階層（図示せず）に相当する質問２０６に対する選択肢２０４毎にその下位階層が複数のファイルに分けられて保持されている。したがって、図４に示したツリー構造も閲覧情報群２００の一部に当たり、最上位階層の選択肢２０４で「映像保存」が選ばれた場合に、はじめて呼び出されるものである。閲覧情報群２００のツリー構造は、例えば、図４に示したように、アルゴリズムやプログラム処理を示す手段としてのＰＡＤ（Problem Analysis Diagram）で表すことができる。また、閲覧情報群２００のツリー構造を、ＸＭＬで記述すると図５のように表すことができる。
【００３９】
このような閲覧情報群２００さえ準備しておけば、ユーザ１１２は、最上位階層の質問２０６を適宜選び、さらに、図４のように閲覧情報群２００の質問２０６に適宜回答（選択肢２０４を選択）していくことで、所望する閲覧情報２０２を得ることができる。しかし、一般的に、ツリー構造の階層は深く（多く）、ユーザ１１２は、所望する最下位階層の閲覧情報２０２に到達するまで多くの選択肢２０４を選択しなければならず、手間と時間を要するばかりか、到達した最下位階層の閲覧情報２０２が所望するものでなかった場合、再度、最上位階層の質問２０６からを繰り返し、前回と異なる選択肢２０４を意識的に選択して自力で所望する閲覧情報２０２を探し当てなければならないものである。
【００４０】
また、所望する閲覧情報２０２を直接導き出せる、閲覧情報２０２の１つ上位階層に当たる質問２０６や選択肢２０４をキーワードとして思いついたとしても、閲覧情報群２００の最上位階層以外の階層に設けられた質問２０６や選択肢２０４を直接指定する手段はなく、ユーザ１１２は、やはり、最上位階層の質問２０６から選択せねばならず、所望する閲覧情報２０２の抽出に手間と時間を費やすこととなる。
【００４１】
そこで、本実施形態における情報閲覧システム１００では、上述した閲覧情報群２００が既に存在すること、または、新たに閲覧情報群２００を後に生成することを前提に、以下に示す、目的語グループ群、述語グループ群を用い、マトリクステーブルを経由した（マトリクステーブルによって所望する選択肢２０４または閲覧情報２０２までショートカットした）絞り込み処理によって、効率的に閲覧情報２０２をユーザ１１２に閲覧させること、また、その絞り込み処理の際、少ないキーワードから直感的かつ容易に閲覧情報を特定することを目的とする。
【００４２】
図６は、目的語グループ群２０８を説明するための説明図である。上述したように、目的語グループは、類語関係を有する目的語に相当する単語をグループ化したものであり、図６における縦方向には、その目的語グループ２１０が目的語番号２１２に関連付けられて並べられている。また、図６における横方向には、目的語グループ２１０の代表単語２１４（類語１に相当）、例えば「静止画」と、目的語グループ２１０内のいずれかの単語と類語関係にある１または複数の単語、例えば、「スナップショット」、「写真」、「コマ」が並置されている。なお、目的語グループ２１０内の類語の数は限定されない。
【００４３】
このように、類語関係を有する目的語に相当する単語をグループ化する構成により、多数の単語を類語として目的語グループ群２０８のいずれかの目的語グループ２１０に関連付けることができるので、目的語グループ群２０８に含まれる単語の総数（バリエーション）を容易に増やすことが可能となり、ユーザ１１２が入力した任意の目的単語に対して閲覧情報を抽出できる確率が高くなる。また、複数の類語をグループ化し、その纏まったグループに対して閲覧情報２０２を準備する構成により、サーバメモリ１６０の容量や処理負荷を抑えることができる。
【００４４】
また、目的語グループ群２０８は、目的語グループ２１０内の単語それぞれが検索に用いられた頻度を示す目的語頻度２１６の項目も有する。かかる目的語頻度２１６は、後述する目的語グループ特定部１７０において、検索頻度が高い順に目的語を検索するために用いられる。
【００４５】
図７は、述語グループ群２１８を説明するための説明図である。述語グループは、類語関係を有する述語に相当する単語をグループ化したものであり、図７における縦方向には、その述語グループ２２０が述語番号２２２に関連付けられて並べられている。また、図７における横方向には、述語グループ２２０の代表単語２２４、例えば「撮影」と、述語グループ２２０内のいずれかの単語と類語関係にある１または複数の単語、例えば、「録画」、「記録」、「ＲＥＣ」が並置されている。なお、述語グループ２２０内の類語の数は限定されない。
【００４６】
このように、類語関係を有する述語に相当する単語をグループ化する構成により、目的語同様、多数の単語を類語として述語グループ群２１８のいずれかの述語グループ２２０に関連付けることができるので、述語グループ群２１８に含まれる単語の総数（バリエーション）を容易に増やすことが可能となり、ユーザ１１２が入力した任意の述単語に対して閲覧情報を抽出できる確率が高くなる。また、複数の類語をグループ化し、その纏まったグループに対して閲覧情報２０２を準備する構成により、サーバメモリ１６０の容量や処理負荷を抑えることができる。また、述語グループ群２１８は、述語グループ２２０内の単語それぞれが検索に用いられた頻度を示す述語頻度２２６の項目も有する。かかる述語頻度２２６は、後述する述語グループ特定部１７２において、検索頻度が高い順に述語を検索するために用いられる。
【００４７】
図８は、マトリクステーブル２２８を説明するための説明図である。マトリクステーブル２２８では、図８における縦方向に配された複数の目的語グループ２１０（図８では、目的語グループ２１０の代表単語２１４のみを示す。）と、図８における横方向に配された複数の述語グループ２２０（図８では、述語グループ２２０の代表単語２２４のみを示す。）とが掛け合わされた２次元配列となっており、１の目的語グループ２１０と１の述語グループ２２０に基づいて閲覧情報２０２へ案内するための１の案内情報２３０が導き出されるようになっている。
【００４８】
例えば、目的単語が代表単語「静止画」の目的語グループ２１０に含まれ、述単語が代表単語「撮影」の述語グループ２２０に含まれている場合、図８に示すように、２次元配列上で両者の行列が交わるところに示される案内情報「Ｌ−０００１」が抽出される。かかる案内情報「Ｌ−０００１」は、閲覧情報２０２を直接特定する直接リンク情報（図８中「Ｌ−」を付した配列要素で示す。）であり、ユーザ１１２は、当該案内情報「Ｌ−０００１」によって、閲覧情報群２００の質問２０６や選択肢２０４を経由することなく、閲覧情報２０２を直接閲覧することができる。
【００４９】
ただし、目的語グループ２１０と述語グループ２２０の組み合わせによっては、複数の閲覧情報２０２が候補となってしまい、１の閲覧情報２０２を特定できない場合がある。このような目的語グループ２１０および述語グループ２２０に関して、２次元配列上で両者の行列が交わるところには、上述した直接リンク情報と異なる、閲覧情報２０２を特定するための絞り込み処理に移行する間接リンク情報（図８中「Ｓ−」を付した配列要素で示す。）が案内情報２３０として示される。このように案内情報２３０が間接リンク情報であった場合、ユーザ１１２は、直接閲覧情報２０２を閲覧することはできないが、閲覧情報群２００の比較的下位の階層にある任意の質問２０６に直接移行し、最小限の質問２０６および選択肢２０４を経由して閲覧情報２０２を効率的に得ることができる。このようなマトリクステーブル２２８を経由した絞り込み処理については、後述する閲覧情報特定部１８２の動作で具体的に説明する。
【００５０】
図３に戻って説明すると、サーバ通信部１６２は、ＴＣＰ／ＩＰ等のプロトコルを用い、通信網１０２を通じてクライアント装置１１０と通信接続する。サーバ制御部１６４は、中央処理装置（ＣＰＵ）、プログラム等が格納されたＲＯＭ、ワークエリアとしてのＲＡＭ等を含む半導体集積回路で構成され、サーバメモリ１６０や他の電子回路と協働してサーバ装置１２０全体を管理および制御する。また、サーバ制御部１６４は、サーバ受信制御部１６６、サーバ送信制御部１６８、目的語グループ特定部１７０、述語グループ特定部１７２、目的候補単語抽出部１７４、助詞付加部１７６、述候補単語抽出部１７８、案内情報特定部１８０、閲覧情報特定部１８２、頻度更新部１８４、再入力促進部１８６、類語登録部１８８としても機能する。
【００５１】
サーバ受信制御部１６６は、クライアント装置１１０から目的単語と述単語とを受信して目的語グループ特定部１７０および述語グループ特定部１７２に伝達し、または、クライアント装置１１０において選択された目的候補単語と述候補単語とを含む候補組み合わせを受信して目的語グループ２１０および述語グループ２２０を特定する。また、サーバ受信制御部１６６は、クライアント装置１１０から選択肢２０４に対する回答を受信し、閲覧情報特定部１８２に伝達する。サーバ送信制御部１６８は、後述する目的候補単語抽出部１７４、助詞付加部１７６および述候補単語抽出部１７８によって生成された目的候補単語、助詞、述候補単語やその組み合わせをクライアント装置１１０に送信する。また、サーバ送信制御部１６８は、案内情報特定部１８０が案内情報２３０として間接リンク情報を特定した場合、閲覧情報２０２を絞り込むための質問２０６および選択肢２０４をクライアント装置１１０に送信する。さらに、サーバ送信制御部１６８は、閲覧情報特定部１８２によって特定された閲覧情報２０２をクライアント装置１１０に送信する。
【００５２】
目的語グループ特定部１７０は、目的語グループ群２０８における複数の目的語グループ２１０のいずれに、目的語として入力された目的単語が含まれるかを判定する。このとき、目的語グループ特定部１７０は、目的語グループ群２０８内の単語それぞれの検索頻度である目的語頻度２１６の高い順に、目的語グループ群２０８の単語と目的単語とが一致するか否かを判定し、目的単語が含まれる目的語グループ２１０を特定する。
【００５３】
図９は、目的語グループ特定部１７０の判定処理のイメージを示した説明図である。ユーザ１１２がクライアント装置１１０の操作部１４０を通じて目的単語を入力し、サーバ受信制御部１６６がその目的単語を受信すると、目的語グループ特定部１７０は、まず、目的語グループ２１０といった枠に囚われることなく、目的語グループ群２０８内の全ての単語の目的語頻度２１６を参照し、目的語頻度２１６が高い順に目的語に相当する単語を抽出する。例えば、図９に示すように、目的語番号２１２を「１」とする目的語グループ２１０内の単語「静止画」の目的語頻度２１６が「２２０」で最大となっているので、目的語グループ特定部１７０は、単語「静止画」と目的単語とが一致するか否か判定する。目的単語が単語「静止画」と異なる場合、目的語グループ特定部１７０は、単語「静止画」の次に目的語頻度２１６が大きい単語「動画」と目的単語との一致判定を行う。
【００５４】
そして、目的語グループ特定部１７０は、目的単語が目的語グループ群２０８のいずれかの単語と一致するまで、図９に示すような目的語頻度２１６の高い順に当該判定処理を繰り返し、一致する単語が有れば、その目的語グループ２１０の目的語番号２１２、例えば、目的単語が「写真」であれば、「写真」を類語として含む目的語グループ２１０を示す目的語番号「１」を案内情報特定部１８０に送信する。また、一致する単語が見つからなかった場合、目的語グループ特定部１７０は、目的単語は目的語グループ群２０８に含まれていなかったとして当該判定処理を終了する。
【００５５】
上述した目的語頻度２１６は、過去にその単語が用いられた累積結果ではあるが、今後その単語が利用される可能性をも示すこととなる。したがって、目的語グループ特定部１７０は、かかる目的語頻度２１６が高い順に、目的単語が含まれる目的語グループ２１０を検索することで、目的語グループ２１０を効率的に見つけ出すことが可能となり、ユーザ１１２が所望する閲覧情報を早期に得ることができる。
【００５６】
ここで、目的語グループ特定部１７０は、目的単語の入力を受けて、一旦、目的語頻度２１６の高い順に、比較対象となる単語を抽出しているが、かかる場合に限られず、例えば、図９のような目的語頻度２１６の高い順に単語を並べたテーブルを予め作成しておいてもよい。この場合、後述する頻度更新部１８４が、テーブル内の目的語頻度２１６の更新と、検索順位のソート（並べ替え）を行う。
【００５７】
述語グループ特定部１７２は、述語グループ群２１８における複数の述語グループ２２０のいずれに、述語として入力された述単語が含まれるかを、述語グループ群２１８内の単語それぞれの検索頻度である述語頻度２２６の高い順に判定し、述単語が含まれる述語グループ２２０を特定する。
【００５８】
ユーザ１１２がクライアント装置１１０の操作部１４０を通じて述単語を入力し、サーバ受信制御部１６６がその述単語を受信すると、述語グループ特定部１７２は、目的語グループ特定部１７０同様、まず、述語グループ群２１８内の全ての単語の述語頻度２２６を参照し、述語頻度２２６が高い順に述語に相当する単語を抽出し、その抽出された単語と述単語とが一致するか否か判定する。したがって、述語グループ特定部１７２は、かかる述語頻度２２６が高い順に、述単語が含まれる述語グループ２２０を検索することで、述語グループ２２０を迅速に見つけ出すことが可能となり、ユーザ１１２が所望する閲覧情報を早期に得ることができる。
【００５９】
図１０は、ユーザ１１２による目的単語と述単語の入力処理の一例を示した説明図である。例えば、サーバ装置１２０は、クライアント装置１１０の表示部１４２に、初期画面として、図１０（ａ）のような、目的単語と述単語の入力を促すＧＵＩ（Graphical User Interface）である入力画面２３２を表示し、ユーザ１１２は、クライアント装置１１０の操作部１４０を通じて、表示部１４２に表示された目的語ボックス２３４に目的単語を、述語ボックス２３６に述単語を入力し、確定ボタン２３８を選択決定する。本実施形態では、単純にキーワードを羅列するだけでなく、ユーザ１１２が希望する具体的な動作（目的語と述語）を入力してもらい、それに準じて、閲覧情報２０２を検索する。
【００６０】
例えば、デジタルビデオムービーのオンラインマニュアルを参照する際、ユーザ１１２が、撮影した動画の再生に関する情報取得を希望する場合、ユーザ１１２は、図１０（ｂ）のように、入力画面２３２の目的語ボックス２３４に「動画」を、述語ボックス２３６に「再生」を入力する。そうすると、その目的単語と述単語とで「動画（を）再生（したい）」という文章が形成される。かかるユーザ１１２の入力を受けて、目的語グループ特定部１７０は、目的語ボックス２３４に入力された目的単語「動画」を、目的語グループ群２０８から目的語頻度２１６が高い順に検索し、述語グループ特定部１７２は、述語ボックス２３６に入力された述単語「再生」を、述語グループ群２１８から述語頻度２２６が高い順に検索する。
【００６１】
また、他の入力手段として、図１０（ｃ）に示すように、入力画面２３２の文章ボックス２４０に、目的単語や述単語が含まれた文章をそのまま入力することもできる。ユーザ１１２が、入力画面２３２の文章ボックス２４０に、例えば、文章「動画を再生したい」を入力し、確定ボタン２３８を選択決定すると、目的語グループ特定部１７０および述語グループ特定部１７２は、入力された文章から目的単語と述単語をそれぞれ抽出する。具体的に、目的語グループ特定部１７０は、入力された文章から、格助詞「を」または「に」を検索し、「を」または「に」が存在すると、その前の単語を目的単語とする。また、述語グループ特定部１７２は、入力された文章から、助動詞「たい」または動詞を加えた「したい」を検索し、「たい」または「したい」が存在すると、その前の単語を述単語とする。
【００６２】
このように、格助詞や助動詞を検索するだけで、目的語や述語を抽出する構成により、構文解析や形態素解析といった解析処理が不要となり、処理負荷の低減を図ることが可能となる。
【００６３】
上記の例では、例えば、ムービーの映像データを再生したいと思ったとき、記憶媒体または記憶装置をどのように取り扱ってよいか分からなかったり、どのようにして再生するのかその再生方法が分からない場合に、それを知る手段として有効に機能する。
【００６４】
しかし、ユーザが必ずしも目的単語と述単語との組み合わせを正確に思いつくとは限らず、目的単語または述単語のいずれか一方のみ思いつく場合や、さらに、目的単語や述単語の一部のみ思いつく場合もある。そこで、サーバ装置１２０では、目的候補単語抽出部１７４、助詞付加部１７６や述候補単語抽出部１７８を通じて、クライアント装置１１０における目的単語や述単語の入力支援を行う。
【００６５】
目的候補単語抽出部１７４は、クライアント装置１１０から送信された文字列を含み、目的語に相当する１または複数の単語が目的語グループ群２０８に存在するか否か判定し、その文字列を含む単語が目的語グループ群２０８に存在すれば、その単語が含まれる目的語グループ２１０の代表単語を目的候補単語とする。助詞付加部１７６は、ユーザの選択入力に応じて選択された目的候補単語に予め定められた複数の助詞（例えば、格助詞「を」、「に」、「より」、「で」）を付加する。ここでは、説明の便宜上、助詞を４つの格助詞に限定しているが、かかる場合に限らず、様々な助詞を適用できることは言うまでもない。
【００６６】
述候補単語抽出部１７８は、ユーザの選択入力に応じて選択された目的候補単語と、選択された助詞（格助詞）を通じ目的語と述語の関係となる述候補単語を抽出して、目的候補単語および助詞と関連付け、目的候補単語と助詞と述候補単語との組み合わせである１または複数の候補組み合わせを抽出する。このとき、目的語と述語とは、予め定められた複数の助詞毎に独立したマトリクステーブル２２８によって関連付けられている。以下、このような助詞毎のマトリクステーブル２２８を説明し、その後、目的候補単語抽出部１７４、助詞付加部１７６、述候補単語抽出部１７８の動作を示す。
【００６７】
図１１〜図１４は、予め定められた助詞に対するマトリクステーブル２２８ａ、２２８ｂ、２２８ｃ、２２８ｄを示した説明図である。かかる図１１〜図１４に示すマトリクステーブル２２８ａ、２２８ｂ、２２８ｃ、２２８ｄは、図８を用いて説明したマトリクステーブル２２８と実質的に機能が等しい。しかし、図８のマトリクステーブル２２８が、目的語グループ２１０と述語グループ２２０との関係を表す助詞に拘わらず、案内情報２３０を参照するのに対し、図１１〜図１４のマトリクステーブル２２８ａ、２２８ｂ、２２８ｃ、２２８ｄは、それぞれ助詞が特定されている点で異なる。即ち、同じ目的語グループ２１０と述語グループ２２０であっても、その間に配されて両者の関係を表す助詞に応じて、その組み合わせの可否が決定されることとなる。
【００６８】
例えば、代表単語が「ＤＶＤレコーダ」である目的語グループ２１０と、代表単語が「保存」である述語グループ２２０との組み合わせに関し、図１２に示す助詞「に」に関するマトリクステーブル２２８ｂと、図１４に示す助詞「で」に関するマトリクステーブル２２８ｄとにおいては、両グループが交差する位置に案内情報２３０が存在するが、図１１に示す助詞「を」に関するマトリクステーブル２２８ａや、図１３に示す助詞「より」に関するマトリクステーブル２２８ｃでは、交差する位置に案内情報２３０が存在しない。即ち、本実施形態においては、代表単語が「ＤＶＤレコーダ」である目的語グループ２１０と、代表単語が「保存」である述語グループ２２０に関し、助詞「に」、「で」を付加した「ＤＶＤレコーダに保存」、「ＤＶＤレコーダで保存」という組み合わせは想定されているが、助詞「を」、「より」を付加した「ＤＶＤレコーダを保存」、「ＤＶＤレコーダより保存」は想定されていないこととなる。
【００６９】
本実施形態では、単に目的語グループ２１０と述語グループ２２０の組み合わせをユーザ１１２に提示するだけでなく、助詞を含んで想定された組み合わせを提示することで、所望する閲覧情報２０２をより効率的に特定することができる。
【００７０】
また、ここでは、説明の便宜上、マトリクステーブル２２８ａ、２２８ｂ、２２８ｃ、２２８ｄそれぞれにおいて目的語グループ２１０と述語グループ２２０とが等しい場合、同一の案内情報２３０を付しているが、マトリクステーブル２２８ａ、２２８ｂ、２２８ｃ、２２８ｄ毎に、異なる案内情報２３０を付すこともできる。このようにマトリクステーブル２２８ａ、２２８ｂ、２２８ｃ、２２８ｄ毎に案内情報２３０を異ならせることで、目的語グループ２１０と述語グループ２２０と、さらにその関係を示す助詞の組み合わせに関して適切な案内情報２３０を提供することができ、ユーザ１１２は、所望する閲覧情報２０２をより効率的に特定することが可能となる。
【００７１】
（目的語入力）
図１５〜図１８は、ユーザ１１２による目的単語と述単語の入力処理の他の例を示した説明図である。例えば、ユーザが、所望する具体的な目的単語や述単語が思いつかないが、「ＤＶＤ」に関するということだけ把握していたとする。このとき図１５（ａ）のような入力画面２３２の文章ボックス２４０に「Ｄ」という文字列を入力したとする。ただし、ここでは１文字であっても文字列として扱う。すると、クライアント送信制御部１５０は、文字列「Ｄ」が入力された時点で、入力された文字列「Ｄ」をサーバ装置１２０に送信する。
【００７２】
サーバ装置１２０の目的候補単語抽出部１７４は、文字列「Ｄ」を含み、または、文字列「Ｄ」から始まる、目的語に相当する１または複数の単語を目的語グループ群２０８から特定し、その単語を含む目的語グループ２１０の代表単語を目的候補単語として抽出する。仮に、文字列「Ｄ」を含む目的語として代表単語「ＤＶＤレコーダ」、「ＤＶＤ」、「ＤＶＤライタ」、「ＤＶＤ―ＲＷ」、「ＤＶＤ−Ｒ」が登録されているとする。そうすると、目的候補単語抽出部１７４は、「ＤＶＤレコーダ」、「ＤＶＤ」、「ＤＶＤライタ」、「ＤＶＤ―ＲＷ」、「ＤＶＤ−Ｒ」の各代表単語を目的候補単語として抽出する。
【００７３】
ただし、ユーザ１１２が、さらに文字列を多く入力すると、クライアント送信制御部１５０は、新たな文字列が入力される度に、その文字列をサーバ装置１２０に送信し、それに伴って抽出される目的候補単語が絞られる。仮に、ユーザ１１２が、文字列「Ｄ」の続きとして、「Ｖ」、「Ｄ」、「レ」と順番に入力した場合（即ち文字列「ＤＶＤレ」を入力した場合）、目的候補単語は「ＤＶＤレコーダ」のみに絞られることとなる。このように、ユーザ１１２は、所望する閲覧情報２０２に関する文字列を順次入力して、目的単語や述単語を直接特定することもでき、また、上記のように、文字列の入力を契機に表示された目的候補単語から所望する単語を選択しながら目的単語や述単語を特定することもできる。
【００７４】
サーバ送信制御部１６８は、このように抽出された１または複数の、目的候補単語「ＤＶＤレコーダ」、「ＤＶＤ」、「ＤＶＤライタ」、「ＤＶＤ―ＲＷ」、「ＤＶＤ−Ｒ」全てをその属性（目的語）と共にクライアント装置１１０に送信し、図１５（ｂ）に示した、入力画面２３２の候補選択ボックス２４２に、全ての目的候補単語を表示させる。かかる目的候補単語の順番は、目的語グループ群２０８の頻度に基づいて決定してもよいが、五十音順等、任意にその順を決定することもできる。ただし、ここでは、１または複数の目的候補単語を候補選択ボックス２４２中、左寄せで表している。
【００７５】
ユーザ１１２が、クライアント装置１１０の操作部１４０を通じて、候補選択ボックス２４２中の１または複数の目的候補単語から１の目的候補単語、例えば、図１５（ｂ）において、ハッチングで示した目的候補単語「ＤＶＤレコーダ」を選択すると、その目的候補単語が文章ボックス２４０に表示される。そして、ユーザ１１２が確定ボタン２３８を選択決定すると、クライアント送信制御部１５０は、その選択された目的候補単語をサーバ装置１２０に送信する。サーバ装置１２０は、このような入力支援を通じて、まず目的単語を特定する。
【００７６】
助詞付加部１７６は、ユーザの選択入力に応じて選択された目的候補単語（ここでは「ＤＶＤレコーダ」）に予め定められた複数の助詞（ここでは、格助詞「を」、「に」、「より」、「で」）を付加する。そして、サーバ送信制御部１６８は、このように助詞が付加された１または複数の、目的候補単語と助詞との組み合わせ「「ＤＶＤレコーダを」、「ＤＶＤレコーダに」、「ＤＶＤレコーダより」、「ＤＶＤレコーダで」全てをクライアント装置１１０に送信し、図１５（ｃ）に示した、入力画面２３２の候補選択ボックス２４２に、全ての、目的候補単語と助詞との組み合わせをその順で表示させる。かかる目的候補単語と助詞との組み合わせの順番は、助詞の予め定められた順番（ここでは、「を」、「に」、「より」、「で」の順）に基づいて決定してもよいが、五十音順等、任意にその順を決定することもできる。なお、助詞付加部１７６は、上記のように、目的候補単語に予め定められた複数の助詞を付加し、サーバ送信制御部１６８を通じて目的候補単語と助詞との組み合わせを送信しているが、かかる場合に限らず、クライアント装置１５０において目的候補単語を保持しておき、助詞付加部１７６は、その目的候補単語と組み合わせる助詞のみを、サーバ送信制御部１６８を通じて送信してもよい。この際、助詞の種類は予め定められているため、助詞を文字として送信するのみならず、コードや文字の画像として送信することもできる。
【００７７】
ユーザ１１２が、クライアント装置１１０の操作部１４０を通じて、候補選択ボックス２４２中の１または複数の、目的候補単語と助詞との組み合わせから、１の、目的候補単語と助詞との組み合わせ、例えば、図１５（ｃ）において、ハッチングで示した組み合わせ「ＤＶＤレコーダに」を選択すると、その組み合わせが文章ボックス２４０に表示される。そして、ユーザ１１２が確定ボタン２３８を選択決定すると、クライアント送信制御部１５０は、その選択された目的候補単語と助詞との組み合わせをサーバ装置１２０に送信する。
【００７８】
述候補単語抽出部１７８は、ユーザの選択入力に応じて選択された目的候補単語と助詞との組み合わせを参照し、選択された目的候補単語（ここでは「ＤＶＤレコーダ」）と、選択された助詞（ここでは「に」）を通じ、目的語と述語の関係となる１または複数の述候補単語を抽出する。具体的に、述候補単語抽出部１７８は、選択された助詞（ここでは「に」）に関する図１２に示されるマトリクステーブル２２８ｂを参照し、「ＤＶＤレコーダ」を代表単語とする目的語グループ２１０と行列が交わるところに案内情報２３０が設定されている、「保存」や「転送」を代表単語とする述語グループ２２０を特定する。したがって、述候補単語は、その述語グループ２２０の代表単語である「保存」や「転送」となる。
【００７９】
ただし、ユーザ１１２が目的候補単語と助詞との組み合わせを選択することなく、文章ボックス２４０に述語に相当する文字列、例えば「ほ」を直接入力した場合、述候補単語抽出部１７８は、文字列「ほ」を含み、または、文字列「ほ」から始まる、述語に相当する１または複数の単語を述語グループ群２１８から特定し、その単語を含む述語グループ２２０の代表単語を述候補単語として抽出する。
【００８０】
そして、サーバ送信制御部１６８は、このように抽出された１または複数の、目的候補単語と助詞と述候補単語との組み合わせである候補組み合わせ（ここでは「ＤＶＤレコーダに保存」、「ＤＶＤレコーダに転送」）全てをその属性（目的語や述語）と共にクライアント装置１１０に送信し、図１５（ｄ）に示した、入力画面２３２の候補選択ボックス２４２に、全ての候補組み合わせを表示させる。ただし、ここでは、候補選択ボックス２４２に表示する際、述候補単語に、助動詞「たい」または動詞を加えた「したい」を加えている。かかる組み合わせの順番は、述語グループ群２１８の頻度に基づいて決定してもよいが、五十音順等、任意にその順を決定することもできる。
【００８１】
このとき、クライアント装置１１０は、目的候補単語と助詞と述候補単語の組み合わせについて、図１５（ｄ）の如く、目的候補単語、助詞、述候補単語の順で表示する。即ち、助詞に相当する単語を目的語に相当する単語より候補選択ボックス２４２（表示部１４２）の右側に位置させ、述語に相当する単語を目的語や助詞に相当する単語より候補選択ボックス２４２（表示部１４２）の右側に位置させる。こうして、目的語と助詞と述語との連続性が担保され、ユーザは、目的語と助詞と述語の組み合わせを恰も一連の文章のように把握でき、その目的語と助詞と述語がユーザの所望する結果であるか否かを直感的かつ容易に把握することが可能となる。
【００８２】
ユーザ１１２が、クライアント装置１１０の操作部１４０を通じて、候補選択ボックス２４２中の１または複数の候補組み合わせから１の候補組み合わせ、例えば、図１５（ｄ）において、ハッチングで示した組み合わせ「ＤＶＤレコーダに保存したい」を選択すると、その組み合わせが文章ボックス２４０に表示される。そして、ユーザ１１２が確定ボタン２３８を選択決定すると、クライアント送信制御部１５０は、その選択された候補組み合わせを目的単語（ここでは「ＤＶＤレコーダ」）および述単語（ここでは「保存」）としてサーバ装置１２０に送信する。サーバ装置１２０は、このような入力支援を通じ、選択された候補組み合わせのうちの目的候補単語（ここでは「ＤＶＤレコーダ」）を目的単語として特定し、述候補単語（ここでは「保存」）を述単語として特定する。
【００８３】
かかる目的単語と述単語は、いずれも代表単語なので、目的語グループ２１０および述語グループ２２０を目的語グループ特定部１７０および述語グループ特定部１７２を通じて特定する必要がなく、その目的単語と述単語とを代表単語とする目的語グループ２１０および述語グループ２２０を特定すれば済む。
【００８４】
また、述候補単語抽出部１７８は、ユーザの選択入力に応じて選択された目的候補単語と助詞との組み合わせを参照し、１または複数の述候補単語を抽出する際、選択された目的候補単語と、予め定められた複数の助詞のうちの選択された助詞以外の助詞を通じて目的語と述語の関係となる述候補単語を抽出し、その述候補単語も目的候補単語および助詞と関連付けて候補組み合わせを抽出してもよい。
【００８５】
具体的に、述候補単語抽出部１７８は、選択された助詞（ここでは「に」）に関する図１２に示されるマトリクステーブル２２８ｂを参照し、「保存」や「転送」を代表単語とする述語グループ２２０を特定する。それと共に、述候補単語抽出部１７８は、選択された助詞以外の助詞（ここでは、「を」、「より」、「で」）に関する図１１に示されるマトリクステーブル２２８ａ、図１３に示されるマトリクステーブル２２８ｃ、図１４に示されるマトリクステーブル２２８ｄを参照し、「ＤＶＤレコーダ」を代表単語とする目的語グループ２１０と行列が交わるところに案内情報２３０が設定されている述語グループを特定する。ここでは、助詞「を」に関し、「繋ぐ」（図示せず）を代表単語とする述語グループ２２０が特定され、助詞「より」に関し、「転送」、「取得」を代表単語とする述語グループ２２０が特定され、助詞「で」に関し、「保存」、「確認」を代表単語とする述語グループ２２０が特定される。
【００８６】
そして、サーバ送信制御部１６８は、このように抽出された全ての候補組み合わせ「ＤＶＤレコーダに保存」、「ＤＶＤレコーダに転送」、「ＤＶＤレコーダを繋ぐ」、「ＤＶＤレコーダより転送」、「ＤＶＤレコーダより取得」、「ＤＶＤレコーダで保存」、「ＤＶＤレコーダで確認」をその属性（目的語や述語）と共にクライアント装置１１０に送信し、図１６（ａ）に示した、入力画面２３２の候補選択ボックス２４２に、全ての、候補組み合わせを表示させる。ただし、図１５（ｄ）同様、候補選択ボックス２４２に表示する際、述候補単語に、助動詞「たい」または動詞を加えた「したい」を加えている。また、かかる候補組み合わせの順番は、助詞の予め定められた順番（ここでは、「を」、「に」、「より」、「で」の順）に基づいて決定してもよいし、助詞の意味が近い順番（例えば、「に」、「で」、「を」、「より」）に基づいて決定してもよい。
【００８７】
このとき、候補選択ボックス２４２では、図１６（ａ）の如く、助詞毎に文章を区分することもできる。また、図１６（ｂ）のように、全ての候補組み合わせに共通の目的候補単語「ＤＶＤレコーダ」を省略して表示させてもよいし、図１６（ｃ）のように、選択した助詞「に」に関する候補組み合わせのみを他の助詞に関する候補組み合わせより強調表示してもよい。ここで、強調表示は、文字の大きさを他と異ならせる、強調文字を用いる、フォントを他と異ならせる、下線を施す、背景画や背景色を他と異ならせる、枠等の飾り付けを行う、矢印等の指標を付加する、左右等相対位置を異ならせる等により為される。
【００８８】
ユーザ１１２は、クライアント装置１１０の操作部１４０を通じて、候補選択ボックス２４２中の１の候補組み合わせ、例えば、図１６（ａ）において、ハッチングで示した組み合わせ「ＤＶＤレコーダに保存したい」を選択し、確定ボタン２３８を通じて選択決定を行うことで、その選択された候補組み合わせをサーバ装置１２０に送信することができる。
【００８９】
また、目的候補単語抽出部１７４、助詞付加部１７６、述候補単語抽出部１７８によってそれぞれ導出された目的候補単語、助詞、述候補単語のユーザ１１２による選択処理のうち、１または複数を省略し、選択可能な全ての単語または組み合わせを送信してもよい。例えば、助詞付加部１７６が目的候補単語に助詞を付加し、その段階でユーザ１１２に選択させる処理を省略し、助詞付加部１７６および述候補単語抽出部１７８によって、選択可能な助詞と述候補単語とを全て抽出する。
【００９０】
例えば、図１７（ａ）のような入力画面２３２の文章ボックス２４０に「Ｄ」という文字列を入力したとする。クライアント送信制御部１５０は、文字列「Ｄ」が入力された時点で、入力された文字列「Ｄ」をサーバ装置１２０に送信する。サーバ装置１２０の目的候補単語抽出部１７４は、文字列「Ｄ」を含む目的語として代表単語「ＤＶＤレコーダ」、「ＤＶＤ」、「ＤＶＤライタ」、「ＤＶＤ―ＲＷ」、「ＤＶＤ−Ｒ」の各代表単語を目的候補単語として抽出する。
【００９１】
サーバ送信制御部１６８は、このように抽出された１または複数の、目的候補単語「ＤＶＤレコーダ」、「ＤＶＤ」、「ＤＶＤライタ」、「ＤＶＤ―ＲＷ」、「ＤＶＤ−Ｒ」全てをその属性（目的語）と共にクライアント装置１１０に送信し、図１７（ｂ）に示した、入力画面２３２の候補選択ボックス２４２に、全ての目的候補単語を表示させる。ユーザ１１２が、クライアント装置１１０の操作部１４０を通じて、候補選択ボックス２４２中の１または複数の目的候補単語から１の目的候補単語、例えば、図１７（ｂ）において、ハッチングで示した目的候補単語「ＤＶＤレコーダ」を選択すると、その目的候補単語が文章ボックス２４０に表示され、ユーザ１１２が確定ボタン２３８を選択決定すると、クライアント送信制御部１５０は、その選択された目的候補単語をサーバ装置１２０に送信する。
【００９２】
そして、サーバ装置１２０の助詞付加部１７６は、ユーザの選択入力に応じて選択された目的候補単語（ここでは「ＤＶＤレコーダ」）に、予め定められた複数の助詞（ここでは、格助詞「を」、「に」、「より」、「で」）を付加する。続いて、述候補単語抽出部１７８は、ユーザの選択入力に応じて選択された目的候補単語と、助詞付加部１７６が付加した助詞との組み合わせを参照し、選択された目的候補単語（ここでは「ＤＶＤレコーダ」）と、付加された助詞（ここでは「を」、「に」、「より」、「で」）を通じ目的語と述語の関係となる１または複数の述候補単語を抽出する。こうして、目的候補単語に対し、予め定められた助詞全てに関して、想定される候補組み合わせ（「ＤＶＤレコーダに保存」、「ＤＶＤレコーダに転送」、「ＤＶＤレコーダを繋ぐ」、「ＤＶＤレコーダより転送」、「ＤＶＤレコーダより取得」、「ＤＶＤレコーダで保存」、「ＤＶＤレコーダで確認」）が導き出される。
【００９３】
クライアント装置１１０は、図１７（ｃ）のように、候補組み合わせを表示し、ユーザ１１２が、クライアント装置１１０の操作部１４０を通じて、候補選択ボックス２４２中の１または複数の候補組み合わせから１の候補組み合わせ、例えば、図１７（ｃ）において、ハッチングで示した組み合わせ「ＤＶＤレコーダに保存したい」を選択すると、その組み合わせが文章ボックス２４０に表示され、ユーザ１１２が確定ボタン２３８を選択決定すると、クライアント送信制御部１５０は、その選択された候補組み合わせを目的単語（ここでは「ＤＶＤレコーダ」）および述単語（ここでは「保存」）としてサーバ装置１２０に送信する。
【００９４】
（述語入力）
上記では、図１５〜図１７を用いて、目的語に相当する文字列が入力された場合の候補組み合わせの特定処理について説明した。以下では、図１８を用いて、述語に相当する文字列が入力された場合の候補組み合わせの特定処理について説明する。
【００９５】
例えば、ユーザが、所望する具体的な目的単語や述単語が思いつかないが、メディアへの「保存」に関するということだけ把握していたとする。このとき図１８（ａ）のような入力画面２３２の文章ボックス２４０に「ほ」という文字列を入力したとする。すると、クライアント送信制御部１５０は、文字列「ほ」が入力された時点で、入力された文字列「ほ」をサーバ装置１２０に送信する。
【００９６】
サーバ装置１２０の述候補単語抽出部１７８は、文字列「ほ」を含み、または、文字列「ほ」から始まる、述語に相当する１または複数の単語を述語グループ群２１８から特定し、その単語を含む述語グループ２２０の代表単語を述候補単語として抽出する。仮に、文字列「ほ」を含む述語として代表単語「保存」、「保護」、「保留」が登録されているとする。そうすると、述候補単語抽出部１７８は、「保存」、「保護」、「保留」の各代表単語を述候補単語として抽出する。ここで、平仮名から漢字への予測変換が行われるが、既存の技術なのでその詳細な説明は省略する。
【００９７】
サーバ送信制御部１６８は、このように抽出された１または複数の、述候補単語「保存」、「保護」、「保留」全てをその属性（述語）と共にクライアント装置１１０に送信し、図１８（ｂ）に示した、入力画面２３２の候補選択ボックス２４２に、全ての述候補単語を表示させる。かかる述候補単語の順番は、述語グループ２２０群の頻度に基づいて決定してもよいが、五十音順等、任意にその順を決定することもできる。ただし、ここでは、１または複数の述候補単語を候補選択ボックス２４２中、左寄せで表している。
【００９８】
ユーザ１１２が、クライアント装置１１０の操作部１４０を通じて、候補選択ボックス２４２中の１または複数の述候補単語から１の述候補単語、例えば、図１８（ｂ）において、ハッチングで示した述候補単語「保存」を選択すると、その述候補単語が文章ボックス２４０に表示される。そして、ユーザ１１２が確定ボタン２３８を選択決定すると、クライアント送信制御部１５０は、その選択された述候補単語をサーバ装置１２０に送信する。サーバ装置１２０は、このような入力支援を通じて、まず述単語を特定する。
【００９９】
助詞付加部１７６は、ユーザの選択入力に応じて選択された述候補単語（ここでは「保存」）に予め定められた複数の助詞（ここでは、格助詞「を」、「に」、「より」、「で」）を付加する。そして、サーバ送信制御部１６８は、このように助詞が付加された１または複数の、助詞と述候補単語との組み合わせ「を保存」、「に保存」、「より保存」、「で保存」全てをクライアント装置１１０に送信し、図１８（ｃ）に示した、入力画面２３２の候補選択ボックス２４２に、全ての、助詞と述候補単語との組み合わせをその順で表示させる。かかる助詞と述候補単語の組み合わせの順番は、助詞の予め定められた順番（ここでは、「を」、「に」、「より」、「で」の順）に基づいて決定してもよいが、五十音順等、任意にその順を決定することもできる。
【０１００】
ただし、ここでは、目的語を配すべき位置に特定の意味を有さない（無意な）文字や記号、例えば、ダミー単語「○○○」を表示し、かつ、述候補単語に、助動詞「たい」または動詞を加えた「したい」を加えている。かかるダミー単語は「○○○」に限らず、その文字態様や文字数は任意に決定することができる。かかる構成により、ユーザは、目的語と助詞と述語の関係をイメージし易くなり、所望する助詞を、容易かつ確実に選択することが可能となる。
【０１０１】
ユーザ１１２が、クライアント装置１１０の操作部１４０を通じて、候補選択ボックス２４２中の１または複数の、助詞と述候補単語との組み合わせから１の、助詞と述候補単語との組み合わせ、例えば、図１８（ｃ）において、ハッチングで示した組み合わせ「○○○に保存したい」を選択すると、その組み合わせが文章ボックス２４０に表示される。そして、ユーザ１１２が確定ボタン２３８を選択決定すると、クライアント送信制御部１５０は、その選択された助詞と述候補単語との組み合わせをサーバ装置１２０に送信する。
【０１０２】
目的候補単語抽出部１７４は、ユーザの選択入力に応じて選択された助詞と述候補単語との組み合わせを参照し、選択された述候補単語（ここでは「保存」）と、選択された助詞（ここでは「に」）を通じ目的語と述語の関係となる１または複数の目的候補単語を抽出する。具体的に、目的候補単語抽出部１７４は、選択された助詞（ここでは「に」）に関する、図１２に示されるマトリクステーブル２２８ｂを参照し、「保存」を代表単語とする述語グループ２２０と行列が交わるところに案内情報２３０が設定されている、「ＤＶＤレコーダ」、「ＢＤレコーダ」、「ＳＤ」、「ＤＶＤ」、「ＢＤ」、「ＤＶＤライタ」、「ＢＤドライブ」、「外部ＨＤＤ」、「光ディスク」を代表単語とする目的語グループ２１０を特定する。したがって、目的候補単語は、その目的語グループ２１０の代表単語である「ＤＶＤレコーダ」、「ＢＤレコーダ」、「ＳＤ」、「ＤＶＤ」、「ＢＤ」、「ＤＶＤライタ」、「ＢＤドライブ」、「外部ＨＤＤ」、「光ディスク」となる。
【０１０３】
ただし、ユーザ１１２が助詞と述候補単語との組み合わせを選択することなく、文章ボックス２４０に目的語に相当する文字列、例えば「Ｄ」を直接入力した場合、目的候補単語抽出部１７４は、文字列「Ｄ」を含み、または、文字列「Ｄ」から始まる、目的語に相当する１または複数の単語を目的語グループ群２０８から特定し、その単語を含む目的語グループ２１０の代表単語を目的候補単語として抽出する。
【０１０４】
サーバ送信制御部１６８は、このように抽出された１または複数の、目的候補単語と助詞と述候補単語との組み合わせである候補組み合わせ「ＤＶＤレコーダに保存」、「ＢＤレコーダに保存」、「ＳＤに保存」、「ＤＶＤに保存」、「ＢＤに保存」、「ＤＶＤライタに保存」、「ＢＤドライブに保存」、「外部ＨＤＤに保存」、「光ディスクに保存」全てをその属性（目的語や述語）と共にクライアント装置１１０に送信し、図１８（ｄ）に示した、入力画面２３２の候補選択ボックス２４２に、全ての、候補組み合わせを表示させる。ただし、ここでも、候補選択ボックス２４２に表示する際、述候補単語に、助動詞「たい」または動詞を加えた「したい」を加えている。かかる組み合わせの順番は、目的語グループ２１０群の頻度に基づいて決定してもよいが、五十音順等、任意にその順を決定することもできる。
【０１０５】
このとき、クライアント装置１１０は、目的候補単語と助詞と述候補単語の組み合わせについて、図１５（ｄ）同様、図１８（ｄ）の如く、目的候補単語、助詞、述候補単語の順で表示する。こうして、目的語を入力する場合と同様、目的語と助詞と述語との連続性が担保され、ユーザは、目的語と助詞と述語の組み合わせを恰も一連の文章のように把握でき、その目的語と助詞と述語がユーザの所望する結果であるか否かを直感的かつ容易に把握することが可能となる。
【０１０６】
ユーザ１１２が、クライアント装置１１０の操作部１４０を通じて、候補選択ボックス２４２中の１または複数の候補組み合わせから１の候補組み合わせ、例えば、図１８（ｄ）において、ハッチングで示した組み合わせ「ＤＶＤレコーダに保存したい」を選択すると、その組み合わせが文章ボックス２４０に表示される。そして、ユーザ１１２が確定ボタン２３８を選択決定すると、クライアント送信制御部１５０は、その選択された候補組み合わせを目的単語（ここでは「ＤＶＤレコーダ」）および述単語（ここでは「保存」）としてサーバ装置１２０に送信する。サーバ装置１２０は、このような入力支援を通じ、選択された候補組み合わせのうちの目的候補単語（ここでは「ＤＶＤレコーダ」）を目的単語として特定し、述候補単語（ここでは「保存」）を述単語として特定する。
【０１０７】
かかる目的単語と述単語は、いずれも代表単語なので、目的語グループ２１０および述語グループ２２０を目的語グループ特定部１７０および述語グループ特定部１７２を通じて特定する必要がなく、その目的単語と述単語とを代表単語とする目的語グループ２１０および述語グループ２２０を特定すれば済む。
【０１０８】
また、目的候補単語抽出部１７４は、ユーザの選択入力に応じて選択された助詞と述候補単語との組み合わせを参照し、１または複数の目的候補単語を抽出する際、選択された述候補単語と、予め定められた複数の助詞のうちの選択された助詞以外の助詞を通じて目的語と述語の関係となる目的候補単語を抽出し、その目的候補単語も助詞および述候補単語と関連付けて候補組み合わせを抽出してもよい。かかる処理は、図１６を用いて説明した述候補単語抽出部１７８の処理と実質的に等しいため、ここではその説明を省略する。
【０１０９】
このとき、候補選択ボックス２４２では、助詞毎に文章を区別することもできる。また、全ての候補組み合わせに共通の述候補単語「保存」を省略して表示させてもよいし、選択した助詞「に」に関する候補組み合わせのみを他の助詞に関する候補組み合わせより強調表示してもよい。
【０１１０】
また、目的候補単語抽出部１７４、助詞付加部１７６、述候補単語抽出部１７８によってそれぞれ導出された目的候補単語、助詞、述候補単語のユーザ１１２による選択処理のうち、１または複数を省略し、選択可能な全ての単語または組み合わせを送信してもよい。例えば、助詞付加部１７６が述候補単語に助詞を付加し、その段階でユーザ１１２に選択させる処理を省略し、助詞付加部１７６および目的候補単語抽出部１７４によって、選択可能な目的候補単語と助詞とを全て抽出することもできる。かかる処理は、図１７を用いて説明した助詞付加部１７６および述候補単語抽出部１７８の処理と実質的に等しいため、ここではその説明を省略する。
【０１１１】
また、本実施形態では、目的語と述語とが明確に分けられるため、目的候補単語としての目的語と、述候補単語としての述語とが複数混在していたとしても、その属性を容易に判断することができ、目的語と述語との認識違いによる誤設定を回避することが可能となる。
【０１１２】
図３の説明に戻って、案内情報特定部１８０は、図８に示したマトリクステーブル２２８を用い、目的語グループ特定部１７０および述語グループ特定部１７２で特定された、または、目的候補単語抽出部１７４および述候補単語抽出部１７８で抽出され、かつ、ユーザ１１２に選択された目的候補単語および述候補単語を代表単語とする、目的語グループ２１０と述語グループ２２０とに基づいて案内情報２３０を特定する。例えば、図１５に示したように、目的候補単語と述候補単語との組み合わせとして「ＤＶＤレコーダに保存したい」がユーザ１１２に選択された場合、案内情報特定部１８０は、目的単語「ＤＶＤレコーダ」を代表単語とする目的語グループ２１０と、述単語「保存」を代表単語とする述語グループ２２０とに基づいて、図８に示したマトリクステーブル２２８上で両グループが交わるところに示される案内情報「Ｌ−０００７」（直接リンク情報）を特定する。また、仮に、目的候補単語と述候補単語との組み合わせとして「映像を保存したい」がユーザ１１２に選択された場合、案内情報特定部１８０は、目的単語「映像」を代表単語とする目的語グループ２１０と、述単語「保存」を代表単語とする述語グループ２２０とに基づいて、図８に示したマトリクステーブル２２８上で両グループが交わるところに示される案内情報「Ｓ−０００３」（間接リンク情報）を特定する。
【０１１３】
このように、目的単語と述単語といった、２語の入力のみで案内情報２３０を特定する構成により、操作性および検索効率の向上を図ることができる。また、案内情報特定部１８０は、マトリクステーブル２２８を用いて１の案内情報２３０を特定するので、複数の結果が検出されてしまう従来の技術に比べ、閲覧情報の候補から所望する閲覧情報を自力で探さずに済む利点がある。
【０１１４】
また、案内情報特定部１８０は、目的語グループ２１０の目的語番号２１２と述語グループ２２０の述語番号２２２とを用いて、さらに迅速に案内情報２３０を導き出すことができる。
【０１１５】
図１９は、マトリクステーブルの他の例を示した説明図である。図１９のマトリクステーブル２４６は、図８のマトリクステーブル２２８と異なり、縦方向に、複数の目的語グループ２１０を示す目的語番号２１２が配され、横方向に、複数の述語グループ２２０を示す述語番号２２２が配されており、１の目的語グループ２１０を示す目的語番号２１２と１の述語グループ２２０を示す述語番号２２２によって１の案内情報２３０を示す案内番号２４８が導き出されるようになっている。このように、図１９におけるマトリクステーブル２４６では、案内情報２３０が全て単純な数値に置き換えられている。
【０１１６】
ここで、案内情報特定部１８０は、目的語番号２１２と述語番号２２２を加算し、その加算結果に基づいて案内番号２４８を導出する。目的語番号２１２は、１〜９９９の数値で表され、述語番号２２２は、１０００単位の数値で表されているので、それぞれの数値がユニークであるように、両者を加算した値もユニークな値になる。したがって、目的語番号２１２と述語番号２２２を加算するだけといった簡易な手順で一意に案内番号２４８を導き出すことができ、処理負荷の軽減が可能となる。
【０１１７】
また、目的語グループ特定部１７０が目的語グループ２１０を特定できない、または、述語グループ特定部１７２が述語グループ２２０を特定できない場合、即ち、一方のグループを特定できない場合に、案内情報特定部１８０は、目的語グループ２１０または述語グループ２２０のうち特定できた方のみによって案内情報２３０を特定する。これは、一方のグループが特定されたことで、閲覧情報群２００の全ての範囲から閲覧情報２０２を探し出さなくても、少なくともその検索対象範囲を狭めることができ、閲覧情報群２００の最上位階層ではない、下位の階層の選択肢２０４に移行することが可能になるからである。
【０１１８】
したがって、案内情報特定部１８０は、特定できた一方のグループを前提とし、特定できなかった他方のグループのあらゆる単語に対応した閲覧情報２０２を取得可能な、閲覧情報群２００上の選択肢２０４に移行する間接リンク情報（図８中、「ワイルドカード」で示される、または、図１９中、「９９９」もしくは「９９９０００」で示されるワイルドカード行列２５０にある。）を案内情報２３０（または案内番号２４８）として特定する。
【０１１９】
例えば、クライアント装置１１０の操作部１４０を通じ、ユーザ１１２によって目的単語「写真」と述単語「写す」とが入力されたとする。図６の目的語グループ群２０８では、目的語番号１の目的語グループ２１０に「写真」という単語が存在するが、図７の述語グループ群２１８には、「写す」という単語が存在しない。ここで、案内情報特定部１８０は、図８において、目的単語「写真」を含む目的語グループ２１０のワイルドカード行列２５０に準備された案内情報「Ｓ−００５０」を特定する（以下、ワイルドカード行列２５０を通じた検索をワイルドカード検索という。）。
【０１２０】
かかる構成により、ユーザ１１２は、閲覧情報群２００の最上位階層ではない任意の質問２０６に直接移行することができるので、最小限の質問２０６および選択肢２０４を経由して閲覧情報２０２を効率的に得ることができる。
【０１２１】
閲覧情報特定部１８２は、案内情報特定部１８０によって特定された案内情報２３０に基づき、閲覧情報群２００を用いて閲覧情報２０２を特定する。案内情報２３０は、上述したように、閲覧情報２０２を直接閲覧させる直接リンク情報と、閲覧情報２０２を特定するための絞り込み処理に移行する間接リンク情報とで構成される。また、案内情報２３０には、案内情報２３０が、直接リンク情報と間接リンク情報のいずれであるかを示すインデックス情報も関連付けられている。
【０１２２】
閲覧情報特定部１８２は、まず、案内情報特定部１８０によって特定された案内情報２３０に関連付けられたインデックス情報が直接リンク情報と間接リンク情報のいずれであるか判断する。そして、閲覧情報特定部１８２は、インデックス情報が直接リンク情報であれば、直接リンク情報によって閲覧情報２０２を特定し、インデックス情報が間接リンク情報であれば、絞り込み処理に移行し、ユーザ１１２による選択肢２０４の新たな選択入力を通じて閲覧情報２０２を特定する。
【０１２３】
図２０および図２１は、閲覧情報特定部１８２の動作処理を説明するための説明図であり、特に図２０（ａ）は、直接リンク情報群２５２を示し、図２０（ｂ）は、間接リンク情報群２５４を示している。閲覧情報特定部１８２は、インデックス情報（図２０中「種別」で示す。）に基づいて、それが直接リンク情報であれば、予め定められた移動・制御先にジャンプし、間接リンク情報であれば、予め定められたファイルを呼び出す。
【０１２４】
例えば、目的単語として「静止画」、述単語として「撮影」が特定され、案内情報特定部１８０が、図８のマトリクステーブル２２８において案内情報「Ｌ−０００１」を特定した場合、閲覧情報特定部１８２は、インデックス情報（種別が「Ｌ」であること）によって、その案内情報２３０が直接リンク情報であることを認識し、図２０（ａ）の直接リンク情報群２５２を参照し、案内情報「Ｌ−０００１」に対応したＷｅｂページのＵＲＬ（Uniform Resource Locator）を通じて「静止画の撮影方法のＷｅｂページ」（「http://www.jvc.com/webman/photo_rec.html」）にジャンプする。こうして閲覧情報をユーザ１１２に閲覧させることができる。
【０１２５】
また、上述したように、閲覧情報群２００は、ツリー構造で形成されており、間接リンク情報は、ツリー構造の幹に相当する選択肢２０４にリンクする情報である。例えば、目的単語として「映像」、述単語として「保存」が入力され、案内情報特定部１８０が、図８のマトリクステーブル２２８において案内情報「Ｓ−０００３」を特定した場合、閲覧情報特定部１８２は、インデックス情報（種別が「Ｓ」であること）によって、その案内情報が間接リンク情報であることを把握し、図２０（ｂ）に示す間接リンク情報群２５４を参照し、案内情報「Ｓ−０００３」に対応した「映像保存のシナリオ」（「image_cpy_xml」のＸＭＬファイル）を呼び出す。かかるＸＭＬファイルは、図４のＰＡＤに対応している。したがって、閲覧情報特定部１８２は、図４の「どのメディアに保存しますか」の質問２０６から絞り込み処理を実行する。さらに、目的単語として「ＤＶＤ」、述単語として「保存」が入力され、案内情報「Ｓ−０００４」が特定された場合、閲覧情報特定部１８２は、案内情報「Ｓ−０００４」に対応した、「ＤＶＤディスクへの保存のシナリオ」（「image_cpy_xml」のdvd）を呼び出し、図４の「どちらを使いますか」の質問２０６から絞り込み処理を実行する。
【０１２６】
ここで、間接リンク情報を用いているのは、上述したように、入力された目的単語や述単語の組み合わせによっては複数の閲覧情報２０２が候補となってしまい、１の閲覧情報２０２を特定できない場合があり、その際、さらなる質問２０６によっていずれの閲覧情報２０２を閲覧させるべきか絞り込むためである。
【０１２７】
例えば、上述した案内情報「Ｓ−０００４」の例では、ユーザ１１２が、ＤＶＤディスクへ保存することに関する閲覧情報２０２を所望しているのは把握できるが、それに属する閲覧情報２０２は図４の如く複数存在しており、仮に全ての閲覧情報２０２を提示し、ユーザ１１２に個々に確認させるとすると、ユーザ１１２の手間と時間が費やされる。ここでは、閲覧情報特定部１８２が、１の閲覧情報２０２を提示するための適切な選択肢２０４に移行し、最小限の絞り込み処理によって閲覧情報２０２を効率的に特定することで、ユーザ１１２は早期に所望する閲覧情報２０２を得ることが可能となる。
【０１２８】
また、間接リンク情報は、リンク先である閲覧情報群２００自体を変更することなく、閲覧情報群２００と独立して閲覧情報群２００のいずれの選択肢２０４にも事後的かつ容易にリンクすることができる。したがって、案内情報２３０は、閲覧情報群２００内の選択肢２０４や閲覧情報２０２の数に拘わらず、無数に設けることができるので、閲覧情報群２００の情報量を増やすことなく、目的語グループ群２０８、述語グループ群２１８、マトリクステーブル２２８の情報を増やすことが可能となる。また、マトリクステーブル２２８の案内情報２３０は全て閲覧情報群２００にリンクしているので、案内情報２３０毎に別途、質問２０６や選択肢２０４を作成する必要もなく、データ量の不要な拡大を回避することが可能となる。
【０１２９】
こうして、目的単語と述単語によって直接閲覧情報２０２を導ける場合には、そのように動作すると共に、さらに絞り込みが必要な場合には、閲覧情報群２００の、適切な階層の質問２０６および選択肢２０４から絞り込み処理を開始し、迅速かつ確実に閲覧情報を特定することができる。
【０１３０】
また、図１９に示したマトリクステーブル２４６を用いた場合、案内情報２３０は目的語番号２１２と述語番号２２２を加算した単純な数値である案内番号２４８によって示され、図２０の直接リンク情報群２５２および間接リンク情報群２５４は、図２１のように１つのテーブルで表される。ここでは、案内番号２４８によって、一意に次の処理を特定することが可能となるので、処理負荷の低減を図ることができる。
【０１３１】
閲覧情報特定部１８２は、閲覧情報２０２を特定すると、その特定された閲覧情報２０２を表した画像をクライアント装置１１０の表示部１４２に表示させる。
【０１３２】
頻度更新部１８４は、閲覧情報特定部１８２が閲覧情報２０２をクライアント装置１１０の表示部１４２に表示させ、閲覧情報２０２に関する一通りの処理が完了すると、目的語グループ群２０８内の今回の処理で用いられた目的語に相当する単語の目的語頻度２１６、および、述語グループ群２１８のうち今回の処理で用いられた述語に相当する単語の述語頻度２２６を更新（インクリメント）する。
【０１３３】
再入力促進部１８６は、案内情報特定部１８０によって案内情報２３０を特定できなかった場合、即ち、目的単語が目的語グループ群２０８に存在せず、かつ、述単語が述語グループ群２１８に存在しなかった場合に、他の目的単語および他の述単語による再入力をユーザ１１２に促す画像をクライアント装置１１０の表示部１４２に表示させる。
【０１３４】
類語登録部１８８は、目的語グループ特定部１７０が目的語グループ２１０を特定できない、または、述語グループ特定部１７２が述語グループ２２０を特定できない場合であって、上述したように、案内情報特定部１８０が、目的語グループ２１０または述語グループ２２０のうち特定できた方のグループのみによって案内情報２３０を特定し、閲覧情報特定部１８２が閲覧情報２０２を特定した場合に、マトリクステーブル２２８における特定できた方のグループの１または複数の案内情報２３０のうち、特定された閲覧情報２０２を案内する案内情報２３０があれば、その案内情報２３０を示す特定できなかった方のグループを抽出し、そのグループの類語として、特定できなかった単語を新たに登録する。
【０１３５】
具体的に、例えば、目的単語として「写真」が入力され、述単語として「写す」が入力された場合、目的単語「写真」は目的語グループ群２０８に含まれるが、述単語「写す」はその時点で述語グループ群２１８に含まれていない。そこで、案内情報特定部１８０が、目的語グループ２１０または述語グループ２２０のうち特定できた方、ここでは、目的単語「写真」を含む目的語グループ２１０（「代表単語：静止画」のグループ）のみによって、ワイルドカード検索を示す案内情報「Ｓ−００５０」を特定し、閲覧情報特定部１８２が閲覧情報「静止画の撮影方法のＷｅｂページ」を特定したとする。即ち、述単語「写す」は、どの述語グループ２２０にも含まれないが、目的単語「写真」のみから閲覧情報２０２が特定されたとする。
【０１３６】
ここで、類語登録部１８８は、マトリクステーブル２２８における特定できた方のグループ、ここでは目的語グループ２１０（「代表単語：静止画」のグループ）の１または複数の案内情報２３０（図８において行２５６で示す。）に、特定された閲覧情報「静止画の撮影方法のＷｅｂページ」を案内する案内情報２３０、特に直接リンク情報があるか否か判定する。ここでは、直接リンク情報である案内情報「Ｌ−０００１」が、案内情報特定部１８０に特定された閲覧情報「静止画の撮影方法のＷｅｂページ」と等しいので、類語登録部１８８は、その案内情報「Ｌ−０００１」を示す、特定できなかった方のグループ、ここでは述語グループ「代表単語：撮影」を抽出し、そのグループの類語として、特定できなかった述単語である「写す」を登録する。
【０１３７】
また、特定できなかった述単語の他の登録手段として、類語登録部１８８は、マトリクステーブル２２８における特定できた方のグループ、ここでは目的語グループ２１０（「代表単語：静止画」のグループ）のすべての案内情報２３０を示す、特定できなかった方の１または複数のグループ、図８の例では述語グループ「代表単語：撮影」、「代表単語：再生」、「代表単語：検索」を抽出し、抽出した述語グループの選択を促す映像をクライアント装置１１０の表示部１４２に表示させる。そして類語登録部１８８は、ユーザ１１２による、クライアント装置１１０の操作部１４０を通じた選択入力によって選択された述語グループ２２０、例えば、述語グループ「代表単語：撮影」の類語として、特定できなかった述単語である「写す」を登録する。このとき、ユーザ１１２が対応する述語グループ２２０が存在しないと判断した場合、特定できなかった述単語の登録は実行しない。
【０１３８】
このようにして、類語登録部１８８は、目的語グループ２１０または述語グループ２２０を特定できなかった単語を、品詞が等しいグループの類語として登録する。したがって、目的語グループ２１０または述語グループ２２０の一方が特定できなくとも、案内情報特定部１８０によるワイルドカード検索を用いて閲覧情報２０２をユーザ１１２に提供すると共に、その特定できなかった単語を適切なグループに登録することが可能となる。こうして、次回から同じ単語が入力された場合、ワイルドカード検索を利用することなく、グループを特定でき、軽処理負荷かつ短時間で閲覧情報２０２を取得することができる。
【０１３９】
また、新たな単語がグループに登録されるので、登録された単語は、案内情報特定部１８０に特定された案内情報２３０に限らず、その目的語グループ２１０または述語グループ２２０とマトリクステーブル２２８において掛け合わされる複数の組み合わせ全てにその影響が及び、検索対象の拡大を図ることができる。
【０１４０】
ただし、このような登録は、次回の検索に影響を及ぼすので、不本意な閲覧情報２０２が抽出されるような登録をしてはならない。そこで、類語登録部１８８は、以下の３つの条件のうち、予め定められた１または複数の条件によって、登録を制限し、条件を満たす単語のみを登録する。
【０１４１】
（１）類語登録部１８８は、特定できなかった単語中の一部の漢字が、抽出されたグループ内のいずれかの類語の一部の漢字と等しい場合に、特定できなかった単語を登録する。例えば、述単語として「撮像」が入力された場合に、抽出された述語グループ２２０内の類語「撮影」中の漢字「撮」が述単語「撮像」の漢字「撮」と等しいので、述単語「撮像」は類語「撮影」を含む述語グループ２２０に登録される。
【０１４２】
（２）類語登録部１８８は、さらに、目的単語と述単語のうち、特定できなかった単語を、抽出されたグループ内の任意の単語に置換して表示部１４２に表示させ、操作部１４０を通じたユーザ１１２の承認入力（承認する旨の入力）に応じて、特定できなかった単語を登録する。例えば、上述した例では、ユーザ１１２が、「写真」を「写す」と入力しているが、特定できなかった述単語「写す」を、抽出された述語グループ２２０の代表単語「撮影」に置換して、「写真を撮影する」という文章を表した画像をクライアント装置１１０の表示部１４２に表示させ、その文章「写真を撮影する」がユーザ１１２の所望する文章であるか否かを問い合わせ、ユーザ１１２から、クライアント装置１１０の操作部１４０を通じた承認入力があると、類語登録部１８８は、代表単語が「撮影」である述語グループ２２０に述単語「写す」を登録する。
【０１４３】
ここでは、置換する任意の単語を各グループの代表単語としている。代表単語は、目的語グループ２１０や述語グループ２２０において、予め定められた単語でもよいし、目的語頻度２１６や述語頻度２２６が最大の単語をその都度、代表単語としてもよい。
【０１４４】
（３）類語登録部１８８は、さらに、抽出されたグループの類語としての登録候補として特定できなかった単語を累積し、１のグループに対して特定できなかった単語の累積数が予め定められた数を超えると、特定できなかった単語を登録する。例えば、上述した述単語「写す」が何回も検索に用いられた場合、その検索に用いられた回数が累積され、累積数が例えば２０回を超えると、述単語「写す」は、適切な述語グループ２２０に登録される。また、累積数は、そのまま述語頻度２２６として保持される。
【０１４５】
以上説明したように本実施形態の情報閲覧システム１００では、文字数の少ない直感的なキーワードに基づいて、ユーザが所望する文章（目的単語および述単語）を特定し、予め準備された複数の閲覧情報からユーザが所望する適切な閲覧情報を効率的に特定することが可能となる。
【０１４６】
また、キーワードとして目的語および述語の一方、または、さらにその一部しか思いつかない場合であっても、蓄積された目的語グループ群２０８や述語グループ群２１８を通じて、目的語に対する述語、または、述語に対する目的語、さらに、単語の一部に対する完全な単語が補完され、その目的語と述語との組み合わせの候補が表示されるので、所望する文章を容易に特定することができる。このとき、候補として抽出される目的語と述語との組み合わせは、マトリクステーブル２２８に案内情報２３０として予め設定されている組み合わせのみを抽出しているので、ユーザ１１２は、候補選択ボックス２４２を通じた目的候補単語と述候補単語との組み合わせを選択するだけで、確実に閲覧情報２０２を参照することが可能となる。
【０１４７】
以下、このような情報閲覧システム１００におけるクライアント装置１１０とサーバ装置１２０との情報閲覧処理の流れを簡単に説明する。
【０１４８】
（クライアント装置１１０とサーバ装置１２０とによる情報閲覧処理の流れ）
図２２および図２３は、情報閲覧方法の全体的な流れを示したシーケンス図である。図２２は最初に目的語を特定する例を、図２３は最初に述語を特定する例を挙げている。ここで、ユーザは、ＤＶＤレコーダへのデータの保存に関して閲覧情報２０２を得ようと試みるが、詳細な目的語が分からないものとする。また、クライアント装置１１０は、Ｗｅｂブラウザを通じてサーバ装置１２０のオンラインマニュアルを利用しているとする。
【０１４９】
（目的語入力）
図２２を参照すると、ユーザ１１２が、クライアント装置１１０を操作してサーバ装置１２０のＷｅｂサイトへのアクセスを試みると、クライアント装置１１０のクライアント送信制御部１５０は、サーバ装置１２０に閲覧情報の取得要求を行う（Ｓ２６０）。サーバ装置１２０のサーバ送信制御部１６８は、情報取得要求に応じて、クライアント装置１１０に対し、図１１（ａ）に示す入力画面２３２をＷｅｂページとして送信し（Ｓ２６２）、クライアント装置１１０は、入力画面２３２を表示部１４２に表示させる（Ｓ２６４）。
【０１５０】
ユーザ１１２が、クライアント装置１１０の操作部１４０を通じて、入力画面２３２の文章ボックス２４０に「ＤＶＤレコーダ」の一部である文字列「Ｄ」を入力すると（Ｓ２６６）、クライアント送信制御部１５０は、その入力された文字列をサーバ装置１２０に送信し（Ｓ２６８）、サーバ装置１２０の目的候補単語抽出部１７４は、文字列「Ｄ」を含む単語またはその単語と類語関係を有する単語であり、目的語に相当する１または複数の目的候補単語を抽出し、述候補単語抽出部１７８は、文字列「Ｄ」を含む単語またはその単語と類語関係を有する単語であり、述語に相当する１または複数の述候補単語を抽出する（Ｓ２７０）。ここでは、文字列「Ｄ」を含む単語が目的語に相当し、目的候補単語抽出部１７４のみが１または複数の目的候補単語（例えば、目的語「ＤＶＤレコーダ」、「ＤＶＤ」、「ＤＶＤライタ」、「ＤＶＤ―ＲＷ」、「ＤＶＤ−Ｒ」）を抽出したとする。ここで、述候補単語抽出部１７８が１または複数の述候補単語を抽出する場合もあるが、その場合の処理の流れは図２３を用いて後述する。サーバ送信制御部１６８は、クライアント装置１１０に１または複数の目的候補単語を送信する（Ｓ２７２）。
【０１５１】
クライアント装置１１０のＷｅｂページでは、図１５（ｂ）のように、入力画面２３２に候補選択ボックス２４２が表示され、そこには、複数の目的候補単語「ＤＶＤレコーダ」、「ＤＶＤ」、「ＤＶＤライタ」、「ＤＶＤ―ＲＷ」、「ＤＶＤ−Ｒ」が含まれている（Ｓ２７４）。ユーザ１１２は、さらにキーワードを絞りたい場合、文字列を追加する（Ｓ２７６）。かかる文字列の追加によって、選択可能な目的候補単語が絞られる。
【０１５２】
ユーザ１１２が、クライアント装置１１０の操作部１４０を通じて、候補選択ボックス２４２から１の目的候補単語、例えば、図１５（ｂ）においてハッチングで示した「ＤＶＤレコーダ」を選択すると（Ｓ２７８）、クライアント送信制御部１５０は、選択された目的候補単語をサーバ装置１２０に送信し（Ｓ２８０）、サーバ装置１２０の助詞付加部１７６は、ユーザの選択入力に応じて選択された目的候補単語（ここでは「ＤＶＤレコーダ」）に予め定められた複数の助詞（ここでは、格助詞「を」、「に」、「より」、「で」）を付加する（Ｓ２８２）。サーバ送信制御部１６８は、クライアント装置１１０に１または複数の、目的候補単語と助詞との組み合わせを送信する（Ｓ２８４）。
【０１５３】
クライアント装置１１０のＷｅｂページでは、図１５（ｃ）のように、入力画面２３２の候補選択ボックス２４２に、複数の目的候補単語と助詞との組み合わせ「「ＤＶＤレコーダを」、「ＤＶＤレコーダに」、「ＤＶＤレコーダより」、「ＤＶＤレコーダで」が表示される（Ｓ２８６）。
【０１５４】
ユーザ１１２が、クライアント装置１１０の操作部１４０を通じて、候補選択ボックス２４２から１の、目的候補単語と助詞との組み合わせ、例えば、図１５（ｃ）においてハッチングで示した「ＤＶＤレコーダに」を選択すると（Ｓ２８８）、クライアント送信制御部１５０は、選択された目的候補単語と助詞との組み合わせをサーバ装置１２０に送信する（Ｓ２９０）。
【０１５５】
サーバ装置１２０の述候補単語抽出部１７８は、ユーザの選択入力に応じて選択された目的候補単語と助詞との組み合わせを参照し、選択された目的候補単語（ここでは「ＤＶＤレコーダ」）と、選択された助詞（ここでは「に」）を通じ目的語と述語の関係となる１または複数の述候補単語を抽出する（Ｓ２９２）。具体的に、述候補単語抽出部１７８は、選択された助詞（ここでは「に」）に関する図１２に示されるマトリクステーブル２２８ｂを参照し、「ＤＶＤレコーダ」を代表単語とする目的語グループ２１０と行列が交わるところに案内情報２３０が設定されている、「保存」や「転送」を代表単語とする述語グループ２２０を特定し、その代表単語「保存」、「転送」を述候補単語とする。サーバ送信制御部１６８は、クライアント装置１１０に１または複数の、目的候補単語と助詞と述候補単語との組み合わせである候補組み合わせ「ＤＶＤレコーダに保存」、「ＤＶＤレコーダに転送」を送信する（Ｓ２９４）。
【０１５６】
クライアント装置１１０のＷｅｂページでは、図１５（ｄ）のように、入力画面２３２の候補選択ボックス２４２に、複数の、候補組み合わせ「ＤＶＤレコーダに保存したい」、「ＤＶＤレコーダに転送したい」が表示される（Ｓ２９６）。ユーザは、さらにキーワードを絞りたい場合、文字列を追加する（Ｓ２９８）。かかる文字列の追加によって、選択可能な候補組み合わせが絞られる。
【０１５７】
ユーザ１１２が、クライアント装置１１０の操作部１４０を通じて、候補選択ボックス２４２から１の候補組み合わせ、例えば、図１５（ｄ）においてハッチングで示した「ＤＶＤレコーダに保存したい」を選択すると（Ｓ３００）、クライアント送信制御部１５０は、選択された候補組み合わせをサーバ装置１２０に送信し（Ｓ３０２）、サーバ装置１２０の案内情報特定部１８０は、候補組み合わせのうちの目的候補単語を代表単語とする目的語グループ２１０、および、述候補単語を代表単語とする述語グループ２２０に基づいて、マトリクステーブル２２８を用い、案内情報２３０を特定する（Ｓ３０４）。
【０１５８】
このとき、目的語グループ２１０または述語グループ２２０のいずれか一方が特定されていなければ、案内情報特定部１８０は、目的語グループ２１０または述語グループ２２０のうち特定できた方のみのグループに基づき、上述したワイルドカード検索を用いて案内情報２３０を特定する。
【０１５９】
続いて、閲覧情報特定部１８２は、特定された案内情報２３０に基づいて閲覧情報２０２を特定する（Ｓ３０６）。このとき、特定された案内情報２３０が目的単語「ＤＶＤレコーダ」と述単語「保存」とから特定される「Ｌ−０００７」のように直接リンク情報であれば、閲覧情報２０２を直接特定できるが、例えば、目的単語「映像」と述単語「保存」とから特定した「Ｓ−０００３」のように間接リンク情報であれば、閲覧情報特定部１８２は、間接リンク情報によって移行した閲覧情報群２００の質問２０６と選択肢２０４とによって図２４に示すような入力画面２３２を形成し、サーバ送信制御部１６８は、入力画面２３２をＷｅｂページとしてクライアント装置１１０に送信する（Ｓ３０８）。クライアント装置１１０のクライアント受信制御部１５２は、かかる入力画面２３２を受信して表示部１４２に表示させ（Ｓ３１０）、ユーザ１１２は、操作部１４０を通じて入力画面２３２から選択肢２０４に相当する選択肢チェックボックス２５８を選択し、クライアント装置１１０のクライアント送信制御部１５０は、選択された選択肢チェックボックス２５８に対応する選択肢２０４の回答をサーバ装置１２０に送信する（Ｓ３１２）。ここで、閲覧情報特定部１８２が、目的単語「映像」と述単語「保存」とから「Ｓ−０００３」（映像保存のシナリオを呼び出す）のように間接リンク情報を特定したとする。図２４の入力画面２３２において、質問２０６に相当する「どのメディアに保存しますか」に対して、ユーザ１１２が選択肢２０４「光ディスク」を選択すると、サーバ装置１２０では、ＸＭＬファイル内の「光ディスク」に移行し、クライアント装置１１０の入力画面２３２に、引き続き質問２０６に相当する「ＤＶＤとブルーレイ、どちらのディスクですか」と、選択肢２０４に相当する「ＤＶＤ」および「ＢＤ」を入力画面２３２に表示させる。同様に、ユーザによって選択肢２０４「ＤＶＤ」が選択されると、サーバ装置１２０は、質問２０６に相当する「どちらを使いますか」を表示させ、選択肢２０４「ＤＶＤレコーダ」が選択されると、サーバ装置１２０は、質問２０６「どのようにしますか」を表示させる。このようなサーバ装置１２０とクライアント装置１１０間でのやりとりを繰り返すことで、最終的に１の閲覧情報２０２を特定することが可能となる。
【０１６０】
サーバ装置１２０のサーバ送信制御部１６８は、特定された閲覧情報２０２をクライアント装置１１０に送信し（Ｓ３１４）、クライアント装置１１０のクライアント受信制御部１５２は、閲覧情報２０２を受信して表示部１４２に表示させる（Ｓ３１６）。こうして、ユーザ１１２は、所望する閲覧情報２０２を閲覧することができる。
【０１６１】
サーバ装置１２０の頻度更新部１８４は、クライアント受信制御部１５２が閲覧情報２０２を表示部１４２に表示させ、閲覧情報２０２に関する一通りの処理が完了すると、目的語グループ群２０８内の今回の処理で用いられた目的語に相当する単語の目的語頻度２１６、および、述語グループ群２１８のうち今回の処理で用いられた述語に相当する単語の述語頻度２２６を更新（インクリメント）する（Ｓ３１８）。
【０１６２】
また、案内情報特定部１８０がワイルドカード検索を用いて案内情報２３０を特定した場合、類語登録部１８８は、マトリクステーブル２２８における特定できた方のグループの１または複数の案内情報２３０のうち、閲覧情報特定部１８２が特定した閲覧情報２０２を案内する案内情報２３０があれば、その案内情報２３０を示す特定できなかった方のグループを抽出し、そのグループの類語として、特定できなかった単語を登録する（Ｓ３２０）。
【０１６３】
（述語入力）
続いて、ユーザ１１２が、クライアント装置１１０の操作部１４０を通じて、入力画面２３２の文章ボックス２４０に「保存」の一部である文字列「ほ」を入力した場合を図２３を用いて説明する。図２３において図２２と処理が等しいステップについては、同一の符号を付し、また、処理の矢印を破線で示して、その説明を省略する。
【０１６４】
文字列「ほ」を含む単語は述語に相当するので、ステップＳ２７０において、述候補単語抽出部１７８のみが１または複数の述候補単語（例えば、述語「保存」、「保護」、「保留」）を抽出したとする。この場合、サーバ送信制御部１６８は、図２３のように、クライアント装置１１０に１または複数の述候補単語を送信する（Ｓ３３２）。
【０１６５】
クライアント装置１１０のＷｅｂページでは、図１８（ｂ）のように、入力画面２３２に候補選択ボックス２４２が表示され、そこには、複数の述候補単語「保存」、「保護」、「保留」が含まれている（Ｓ３３４）。ユーザ１１２は、さらにキーワードを絞りたい場合、文字列を追加する（Ｓ３３６）。かかる文字列の追加によって、選択可能な述候補単語が絞られる。
【０１６６】
ユーザ１１２が、クライアント装置１１０の操作部１４０を通じて、候補選択ボックス２４２から１の述候補単語、例えば、図１８（ｂ）においてハッチングで示した「保存」を選択すると（Ｓ３３８）、クライアント送信制御部１５０は、選択された述候補単語をサーバ装置１２０に送信し（Ｓ３４０）、サーバ装置１２０の助詞付加部１７６は、ユーザの選択入力に応じて選択された述候補単語（ここでは「保存」）に予め定められた複数の助詞（ここでは、格助詞「を」、「に」、「より」、「で」）を付加する（Ｓ３４２）。サーバ送信制御部１６８は、クライアント装置１１０に１または複数の、助詞と述候補単語の組み合わせを送信する（Ｓ３４４）。
【０１６７】
クライアント装置１１０のＷｅｂページでは、図１８（ｃ）のように、入力画面２３２の候補選択ボックス２４２に、複数の、助詞と述候補単語との組み合わせ「○○○を保存したい」、「○○○に保存したい」、「○○○より保存したい」、「○○○で保存したい」が表示される（Ｓ３４６）。
【０１６８】
ユーザ１１２が、クライアント装置１１０の操作部１４０を通じて、候補選択ボックス２４２から１の、助詞と述候補単語との組み合わせ、例えば、図１８（ｃ）においてハッチングで示した「○○○に保存したい」を選択すると（Ｓ３４８）、クライアント送信制御部１５０は、選択された助詞と述候補単語との組み合わせをサーバ装置１２０に送信する（Ｓ３５０）。
【０１６９】
サーバ装置１２０の目的候補単語抽出部１７４は、ユーザの選択入力に応じて選択された助詞と述候補単語との組み合わせを参照し、選択された述候補単語（ここでは「保存」）と、選択された助詞（ここでは「に」）を通じ目的語と述語の関係となる１または複数の目的候補単語を抽出する（Ｓ３５２）。具体的に、目的候補単語抽出部１７４は、選択された助詞（ここでは「に」）に関する、図１２に示されるマトリクステーブル２２８ｂを参照し、「保存」を代表単語とする述語グループ２２０と行列が交わるところに案内情報２３０が設定されている、「ＤＶＤレコーダ」、「ＢＤレコーダ」、「ＳＤ」、「ＤＶＤ」、「ＢＤ」、「ＤＶＤライタ」、「ＢＤドライブ」、「外部ＨＤＤ」、「光ディスク」を代表単語とする目的語グループ２１０を特定し、その代表単語「ＤＶＤレコーダ」、「ＢＤレコーダ」、「ＳＤ」、「ＤＶＤ」、「ＢＤ」、「ＤＶＤライタ」、「ＢＤドライブ」、「外部ＨＤＤ」、「光ディスク」を目的候補単語とする。サーバ送信制御部１６８は、クライアント装置１１０に１または複数の、目的候補単語と助詞と述候補単語との組み合わせである候補組み合わせ「ＤＶＤレコーダに保存したい」、「ＢＤレコーダに保存したい」、「ＳＤに保存したい」、「ＤＶＤに保存したい」、「ＢＤに保存したい」、「ＤＶＤライタに保存したい」、「ＢＤドライブに保存したい」、「外部ＨＤＤに保存したい」、「光ディスクに保存したい」を送信する（Ｓ３５４）。
【０１７０】
クライアント装置１１０のＷｅｂページでは、図１８（ｄ）のように、入力画面２３２の候補選択ボックス２４２に、複数の、候補組み合わせ「ＤＶＤレコーダに保存したい」、「ＢＤレコーダに保存したい」、「ＳＤに保存したい」、「ＤＶＤに保存したい」、「ＢＤに保存したい」、「ＤＶＤライタに保存したい」、「ＢＤドライブに保存したい」、「外部ＨＤＤに保存したい」、「光ディスクに保存したい」が表示される（Ｓ３５６）。ユーザは、さらにキーワードを絞りたい場合、文字列を追加する（Ｓ３５８）。かかる文字列の追加によって、選択可能な候補組み合わせが絞られる。
【０１７１】
ユーザ１１２が、クライアント装置１１０の操作部１４０を通じて、候補選択ボックス２４２から１の候補組み合わせ、例えば、図１８（ｄ）においてハッチングで示した「ＤＶＤレコーダに保存したい」を選択すると（Ｓ３６０）、クライアント送信制御部１５０は、選択された候補組み合わせをサーバ装置１２０に送信し（Ｓ３６２）、サーバ装置１２０の案内情報特定部１８０は、候補組み合わせのうちの目的候補単語を代表単語とする目的語グループ２１０、および、述候補単語を代表単語とする述語グループ２２０に基づいて、マトリクステーブル２２８を用い、案内情報２３０を特定する（Ｓ３０４）。
【０１７２】
以上説明した情報閲覧方法によっても文字数の少ない直感的なキーワードに基づいて、ユーザが所望する文章（目的単語および述単語）を特定し、予め準備された複数の閲覧情報からユーザが所望する適切な閲覧情報を効率的に特定することが可能となる。
【０１７３】
ここでは、クライアント装置１１０とサーバ装置１２０とが通信網１０２を通じて情報をやりとりするため、類語登録部１８８による新たな単語として多数のサンプルを取得でき、多岐のバリエーションを形成できる。したがって、サービス提供者側が主体となってデータを蓄積しなくとも、複数のユーザ１１２による多数のサンプルによって自動的にグループ内の類語が増え、目的単語や述単語が目的語グループ２１０や述語グループ２２０内に存在する確率が高まり、ユーザ１１２は、閲覧情報２０２をより効率的に閲覧することが可能となる。
【０１７４】
また、キーワードとして目的語および述語の一方、または、さらにその一部しか思いつかない場合であっても、蓄積された目的語グループ群２０８や述語グループ群２１８を通じて、目的語に対する述語、または、述語に対する目的語、さらに、単語の一部に対する完全な単語が補完され、その目的語と述語との組み合わせの候補が表示されるので、所望する文章を容易に特定することができる。このとき、候補として抽出される目的語と述語との組み合わせは、マトリクステーブル２２８に案内情報２３０として予め設定されている組み合わせのみを抽出しているので、その数は膨大な数にならず、ユーザ１１２は、候補選択ボックス２４２を通じ、絞られた目的候補単語と述候補単語との組み合わせを選択するだけで、確実に閲覧情報２０２を参照することが可能となる。
【０１７５】
また、本実施形態においては、マトリクステーブル２２８を助詞毎に設け、助詞に応じて目的語と述語の適切な組み合わせを構築している。したがって、目的語および述語の一方、または、さらにその一部しか思いつかない場合であっても、目的語や述語に助詞も含めた自然な文章により、所望する閲覧情報２０２を特定することが可能となる。さらに、マトリクステーブル２２８を助詞毎に設けることで、１つの助詞に関する個別のマトリクステーブル２２８ａ、２２８ｂ、２２８ｃ、２２８ｄに属する案内情報２３０を絞って処理負荷を軽減することができ、目的語グループ２１０と述語グループ２２０との関連づけを迅速に遂行することが可能となる。
【０１７６】
また、目的候補単語抽出部１７４、助詞付加部１７６、述候補単語抽出部１７８がそれぞれ目的候補単語、助詞、述候補単語を段階的に絞る構成により、選択肢チェックボックス２５８に一度に表示される選択肢を絞ることができ、ユーザ１１２は、その少ない選択肢から、容易かつ確実に所望する文章を選択することが可能となる。
【０１７７】
また、上述した実施形態では、通信網１０２を介して本実施形態のサービスを提供する情報閲覧システム１００を説明したが、クライアント装置１１０が目的語グループ特定部１７０、述語グループ特定部１７２、目的候補単語抽出部１７４、助詞付加部１７６、述候補単語抽出部１７８、案内情報特定部１８０、閲覧情報特定部１８２、頻度更新部１８４、再入力促進部１８６、類語登録部１８８を備え、閲覧情報群２００、目的語グループ群２０８、述語グループ群２１８、および、マトリクステーブル２２８を、クライアント通信部１４６を通じてサーバ装置１２０からダウンロードする、または、任意の記憶媒体からインストールして用い、スタンドアローンで本実施形態を実現することもできる。
【０１７８】
また、コンピュータを、クライアント装置１１０やサーバ装置１２０として機能させるプログラムや当該プログラムを記録した、コンピュータで読み取り可能なフレキシブルディスク、光磁気ディスク、ＲＯＭ、ＥＰＲＯＭ、ＥＥＰＲＯＭ、ＣＤ、ＤＶＤ、ＢＤ等の記憶媒体も提供される。ここで、プログラムは、任意の言語や記述方法にて記述されたデータ処理手段をいう。
【０１７９】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１８０】
例えば、上述した実施形態においては、候補選択ボックス２４２に入力した文字列を含む単語の代表単語のみを表示するとして説明したが、情報閲覧システム１００で許容される範疇で、代表単語のみならず、そのグループに含まれる全ての単語に関して目的候補単語と述候補単語との組み合わせを表示することもできる。
【０１８１】
また、上述した実施形態においては、入力された文字列を含む単語ではなく、その単語を含む目的語グループ２１０または述語グループ２２０の代表単語をクライアント装置１１０の表示部１４２に表示するとしたが、かかる場合に限られず、入力された文字列を含む単語自体を表示してもよい。サーバ装置１２０としては、入力された文字列を含む単語が属する目的語グループ２１０または述語グループ２２０さえ把握できれば、案内情報特定部１８０を通じて案内情報２３０を特定することができる。
【０１８２】
また、上述した実施形態においては、目的語、助詞、述語の関係から案内情報２３０を特定する例を挙げたが、主語と述語の関係にあれば、名詞、前置詞、動詞といった、その他の関係を採用することも可能である。
【０１８３】
なお、本明細書の閲覧情報編集方法における各工程は、必ずしもシーケンス図として記載された順序に沿って時系列に処理する必要はなく、並列的あるいはサブルーチンによる処理を含んでもよい。
【産業上の利用可能性】
【０１８４】
本発明は、ユーザが所望する情報を閲覧する情報閲覧方法、情報閲覧システム、サーバ装置およびクライアント装置に利用することができる。
【符号の説明】
【０１８５】
１００  …情報閲覧システム
１１０  …クライアント装置
１２０  …サーバ装置
１４０  …操作部
１５０  …クライアント送信制御部
１５２  …クライアント受信制御部
１６６  …サーバ受信制御部
１６８  …サーバ送信制御部
１７０  …目的語グループ特定部
１７２  …述語グループ特定部
１７４  …目的候補単語抽出部
１７６  …助詞付加部
１７８  …述候補単語抽出部
１８０  …案内情報特定部
１８２  …閲覧情報特定部
１８４  …頻度更新部
１８６  …再入力促進部
１８８  …類語登録部
２００  …閲覧情報群
２０２  …閲覧情報
２０４  …選択肢
２０６  …質問
２０８  …目的語グループ群
２１０  …目的語グループ
２１８  …述語グループ群
２２０  …述語グループ
２２８、２４６  …マトリクステーブル
２３０  …案内情報
２３２  …入力画面
２４０  …文章ボックス
２４２  …候補選択ボックス
【図１】
0005633495.tif 000002
【図２】
0005633495.tif 000003
【図３】
0005633495.tif 000004
【図４】
0005633495.tif 000005
【図５】
0005633495.tif 000006
【図６】
0005633495.tif 000007
【図７】
0005633495.tif 000008
【図８】
0005633495.tif 000009
【図９】
0005633495.tif 000010
【図１０】
0005633495.tif 000011
【図１１】
0005633495.tif 000012
【図１２】
0005633495.tif 000013
【図１３】
0005633495.tif 000014
【図１４】
0005633495.tif 000015
【図１５】
0005633495.tif 000016
【図１６】
0005633495.tif 000017
【図１７】
0005633495.tif 000018
【図１８】
0005633495.tif 000019
【図１９】
0005633495.tif 000020
【図２０】
0005633495.tif 000021
【図２１】
0005633495.tif 000022
【図２２】
0005633495.tif 000023
【図２３】
0005633495.tif 000024
【図２４】
0005633495.tif 000025